(57)【特許請求の範囲】
【請求項１】
装置本体に対して出し入れ可能なユニットと、このユニットが装置本体に対して入れられた際に、その取り出しを規制する取出規制手段と、前記ユニットを取り出す際に掛けられる指掛け部を有しかつ回動可能な取手とを備え、前記ユニットを取り出す際の前記取手の回動操作によって、前記取出規制手段による規制が解除されるとともに前記指掛け部に指を掛け得る状態となる画像形成装置であって，
前記装置本体は、当該本体に対して出し入れ可能に設けられたスライドフレームを有しており、前記ユニットはスライドフレームに装着された状態で装置本体に対して出し入れされるとともに、前記取出規制手段はスライドフレームの引き出しを規制し、前記取手はスライドフレームに設けられており，
かつ，前記装置本体には前記スライドフレームをそのスライド方向両側で案内する一対のガイドレールが設けられているとともに、前記スライドフレームには、前記ガイドレールで案内されるピンが設けられており、このピンの前記スライド方向への移動が前記取出規制手段によって規制されることを特徴とする画像形成装置。
【請求項２】
前記スライドフレームは装置本体に対して略水平方向に出し入れされ、前記ユニットはスライドフレームに対して上方から装着されることを特徴とする請求項１記載の画像形成装置。
【請求項３】
前記装置本体は、前記ユニットが出し入れされる第１フレームと、この第１フレームに対して接合および離間可能に構成され、離間した際に第１フレームとの間に前記ユニットの出し入れ操作に必要な空間を形成する第２フレームとを備えており、この第２フレームは、前記第１フレームに対して略水平方向にスライドすることにより第１フレームに対して接合および離間可能に構成されていることを特徴とする請求項１または２記載の画像形成装置。
【発明の詳細な説明】
【０００１】
【発明の属する技術分野】
本発明は、電子写真技術を用いて画像を形成するプリンター、ファクシミリ、複写機等の画像形成装置に関する。特にそのユニット（例えば、感光体ユニット、中間転写ユニット等）の着脱技術に関するものである。
【０００２】
【従来の技術】
一般に、電子写真技術を用いた画像形成装置は、外周面に感光層を有する感光体と、この感光体の外周面を一様に帯電させる帯電手段と、この帯電手段により一様に帯電させられた外周面を選択的に露光して静電潜像を形成する露光手段と、この露光手段により形成された静電潜像に現像剤であるトナーを付与して可視像（トナー像）とする現像手段と、この現像手段により現像されたトナー像を用紙等の記録材に転写させる転写手段とを有している。
【０００３】
転写手段としては、感光体上に形成されたトナー像が転写（一次転写）され、このトナー像をさらに用紙等の記録材に転写（二次転写）する中間転写体が知られている。
【０００４】
このような画像形成装置における感光体や中間転写体は消耗品であり、寿命が来たときには交換する必要があるので、その交換作業を容易にすべく、感光体や中間転写体等は、装置本体に対して出し入れ可能なユニットとして構成されていることが多い。
【０００５】
このようなユニットは、装置本体に対して入れられた際に、その取り出しが規制されるべきであるが、所定の操作によって簡単に取り出すことができるようにすることも望まれる。
【０００６】
このような要請に応えようとしたものとしては、例えば、特開平２−７９８７２号公報記載の電子写真装置が知られている。
【０００７】
この電子写真装置は、図３６に示すように、装置本体１０に対して像担持体ユニット２０が着脱可能に構成されている。
【０００８】
像担持体ユニット２０は、図３７（ａ）に示すように、そのケースの両側に像担持体２１の軸受部２２が突出しているとともに、ケース前部には溝部２３が形成されている。また、像担持体ユニット２０は、その着脱操作がなされる際に掴まれる一対の取手部２４，２４（一方のみ図示）と、この取手部２４，２４にそれぞれ回動可能に設けられた解除レバー２５，２５（一方のみ図示）とを有している。
【０００９】
一方、図３７（ｂ）に示すように、装置本体１０には、像担持体２０をガイドするガイド板１１と、前記軸受部２２を受け入れる溝部１２と、この溝部１２に入り込んだ軸受部２２をロックするロックレバー１３と、前記溝部２３と係合可能な軸１４とが設けられている。
【００１０】
像担持体ユニット２０が装着されると、図３７（ｃ）に示すように、本体１０の軸１４と像担持体ユニット２０の溝部２３とが係合するとともに、本体のロックレバー１３がバネ１５の付勢力で像担持体ユニット２０の軸受部２２と係合して、像担持体ユニット２０が装置本体１０にロックされる。
【００１１】
像担持体ユニット２０を取り外す際には、両手で一対の取手部２４および解除レバー２５を同時に握る。すると、図３７（ｄ）に示すように、解除レバー２５の回動によってロックレバー１３がバネ１５の付勢力に抗して反時計方向に回動し、軸受部２２に対するロックが解除されるので、そのまま像担持体ユニット２０を引き出すことができる。
【００１２】
このような装置によれば、両手で一対の取手部２４および解除レバー２５を同時に握ることによって、別にロック解除操作をすることなく像担持体ユニット２０を引き出すことができる。
【００１３】
【発明が解決しようとする課題】
上述した従来の装置（図３６，図３７）には次のような問題がある。
【００１４】
すなわち、取手部２４と解除レバー２５との間にはスペースＡ（図３６，図３７（ｃ）参照）があるので、ユーザーが像担持体ユニット２０を取り出そうとする際に、誤って、このスペースＡを利用し取手部２４に指を掛けて引き出そうとするおそれがある。
【００１５】
このような誤操作がなされると、ロックが解除されない状態で、像担持体ユニット２０および装置本体１０に対して予期しない力が作用するため、像担持体ユニット２０および／または装置本体１０が破損してしまうおそれがある。あるいは破損しないまでも、ロックレバー１３および像担持体ユニット２０の軸受部２２に大きな力が作用することにより、ロックレバー１３およびその周辺、像担持体ユニット２０の軸受部２２およびその周辺が変形し、像担持体２１の装置本体に対する位置精度、あるいは、像担持体２１の軸受精度が低下し、結果として、画像劣化を来すおそれがある。
【００１６】
本発明の目的は、以上のような問題を解決し、ユニット取出時におけるユーザの誤操作が生じないようにした画像形成装置を提供することにある。
【００１７】
【課題を解決するための手段】
上記目的を達成するために請求項１記載の画像形成装置は、装置本体に対して出し入れ可能なユニットと、このユニットが装置本体に対して入れられた際に、その取り出しを規制する取出規制手段と、前記ユニットを取り出す際に掛けられる指掛け部を有しかつ回動可能な取手とを備え、前記ユニットを取り出す際の前記取手の回動操作によって、前記取出規制手段による規制が解除されるとともに前記指掛け部に指を掛け得る状態となる画像形成装置であって，
前記装置本体は、当該本体に対して出し入れ可能に設けられたスライドフレームを有しており、前記ユニットはスライドフレームに装着された状態で装置本体に対して出し入れされるとともに、前記取出規制手段はスライドフレームの引き出しを規制し、前記取手はスライドフレームに設けられており，
かつ，前記装置本体には前記スライドフレームをそのスライド方向両側で案内する一対のガイドレールが設けられているとともに、前記スライドフレームには、前記ガイドレールで案内されるピンが設けられており、このピンの前記スライド方向への移動が前記取出規制手段によって規制されることを特徴とする。
【００１９】
請求項２記載の画像形成装置は、請求項１記載の画像形成装置において、前記スライドフレームは装置本体に対して略水平方向に出し入れされ、前記ユニットはスライドフレームに対して上方から装着されることを特徴とする。
【００２１】
請求項３記載の画像形成装置は、請求項１または２記載の画像形成装置において、前記装置本体は、前記ユニットが出し入れされる第１フレームと、この第１フレームに対して接合および離間可能に構成され、離間した際に第１フレームとの間に前記ユニットの出し入れ操作に必要な空間を形成する第２フレームとを備えており、この第２フレームは、前記第１フレームに対して略水平方向にスライドすることにより第１フレームに対して接合および離間可能に構成されていることを特徴とする。
【００２２】
【作用効果】
請求項１記載の画像形成装置によれば、装置本体に対して出し入れ可能なユニットが装置本体に対して入れられると、その取り出しが取出規制手段によって規制される。
【００２３】
上記ユニットを取り出す際に利用される取手は、ユニットを取り出す際に掛けられる指掛け部を有しかつ回動可能であって、ユニットを取り出す際の回動操作によって、前記取出規制手段による規制が解除されるとともに前記指掛け部に指を掛け得る状態となるので、この指掛け部に指を掛け得る状態となっているときには、必ず、前記取出規制手段による規制が解除されていることとなる。別言すれば、ユニットを取り出す際には、取手の指掛け部に指を掛けねばならず、指掛け部に指を掛け得るようにするためには、取手の上記回動操作を行なわねばならず、取手を回動操作すれば前記取出規制手段による規制が解除されるので、指掛け部に指を掛け得る状態となっているときには、必ず、前記取出規制手段による規制が解除されていることとなる。
【００２４】
したがって、この請求項１記載の画像形成装置によれば、取出規制手段による規制が解除されていない状態で、ユニットが取り出されそうになるという事態、すなわちユーザの誤操作が生じないこととなる。
【００２５】
したがってまた、ユニットおよび装置本体に対して予期しない力が作用するという事態が確実に防止されるため、ユニットおよび／または装置本体の破損、あるいは両者の間の位置精度の低下が防止され、結果として、画像劣化も防止されることとなる。
【００２６】
請求項２記載の画像形成装置によれば、請求項１記載の画像形成装置において、前記装置本体は、当該本体に対して出し入れ可能に設けられたスライドフレーム有しており、前記ユニットはスライドフレームに装着された状態で装置本体に対して出し入れされるとともに、前記取出規制手段はスライドフレームの引き出しを規制し、前記取手はスライドフレームに設けられているので、前記取手をユニットに設けた場合に比べてユニットの軽量化および省資源化を図ることが可能となる。
【００２７】
すなわち、前記取出規制手段によってユニットが直接規制される構成とし、取手をユニットに設けた場合には、その分、ユニットが重量化するとともに、取手がユニットとともに消費されることとなる場合があるが、この請求項２記載の画像形成装置によれば、取出規制手段によってスライドフレームの引き出しが規制される構成であり、取手はスライドフレームに設けられているので、ユニットの軽量化および省資源化を図ることが可能となる。
【００２８】
請求項３記載の画像形成装置によれば、請求項２記載の画像形成装置において、前記スライドフレームは装置本体に対して略水平方向に出し入れされ、前記ユニットはスライドフレームに対して上方から装着される構成となっているので、ユニットを直接装置本体に対して水平方向に挿入する場合に比べて、挿入操作が容易になる。
【００２９】
しかも、ユニットはスライドフレームに対して装着された状態で、スライドフレームごと装置本体に入れられるので、ユニットを直接装置本体に対して入れる場合には生じるであろう装置本体との不測の接触等による傷付きも防止されることとなる。
【００３０】
請求項４記載の画像形成装置によれば、請求項２または３記載の画像形成装置において、前記装置本体には前記スライドフレームをそのスライド方向両側で案内する一対のガイドレールが設けられているとともに、前記スライドフレームには、前記ガイドレールで案内されるピンが設けられており、このピンの前記スライド方向への移動が前記取出規制手段によって規制される構成となっているので、スライドフレームのスライド動作およびその規制を、簡単な構成で実現することができる。
【００３１】
請求項５記載の画像形成装置によれば、請求項１〜４のうちのいずれか一項に記載の画像形成装置において、前記装置本体は、前記ユニットが出し入れされる第１フレームと、この第１フレームに対して接合および離間可能に構成され、離間した際に第１フレームとの間に前記ユニットの出し入れ操作に必要な空間を形成する第２フレームとを備えており、この第２フレームは、前記第１フレームに対して略水平方向にスライドすることにより第１フレームに対して接合および離間可能に構成されているので、例えば、第２フレームを回動させて第１フレームに対して接合および離間可能に構成した場合に比べて、第２フレームの少ない移動動作で、前記ユニットの出し入れ操作に必要な空間を有効に形成することが可能となる。
【００３２】
【発明の実施の形態】
以下、本発明の実施の形態について図面を参照して説明する。
【００３３】
図１は本発明に係る画像形成装置の一実施の形態を示す概略図である。
【００３４】
先ず、この画像形成装置の概要について説明し、次いで、主として請求項１記載のユニットとしての中間転写ユニットおよびその着脱構造等について詳しく説明する。
【００３５】
この画像形成装置３００は、イエロー（Ｙ）、シアン（Ｃ）、マゼンタ（Ｍ）、ブラック（Ｋ）の４色のトナーによる現像器を用いてフルカラー画像を形成することのできる装置である。
【００３６】
図１において、３０１は装置本体のケースであり、このケース３０１内に、露光ユニット３０２、給紙装置３１０、感光体ユニット３２０、現像ユニット３３０、中間転写ユニットＴＵ、定着ユニット３４０、およびこの装置全体の制御を行なう制御ユニット（図示せず）、等が設けられている。
【００３７】
感光体ユニット３２０は、感光体３２１と、帯電手段としての帯電ローラ３２２と、クリーニング手段３２３とを有している。感光体３２１は、画像形成時に、図示しない適宜の駆動手段によって図示矢印方向に回転駆動される。
【００３８】
感光体３２１の周りに、その回転方向に沿って、前記帯電ローラ３２２、現像手段としての現像器３３１（Ｙ，Ｃ，Ｍ，Ｋ）、中間転写ユニットＴＵ、および前記クリーニング手段３２３が配置されている。
【００３９】
帯電ローラ３２２は、感光体３２１の外周面に当接して外周面を一様に帯電させる。一様に帯電した感光体３２１の外周面には、露光ユニット３０２によって所望の画像情報に応じた選択的な露光Ｌ１がなされ、この露光Ｌ１によって感光体３２１上に静電潜像が形成される。
【００４０】
この静電潜像は、現像ユニット３３０の現像器３３１でトナーが付与されて現像される。
【００４１】
現像ユニット３３０は、現像手段として、イエロー用の現像器３３１Ｙ、シアン用の現像器３３１Ｃ、マゼンタ用の現像器３３１Ｍ、ブラック用の現像器３３１Ｋを備えている。これら各現像器３３１（Ｙ，Ｃ，Ｍ，Ｋ）は、それぞれ内部にイエロー、シアン、マゼンタ、ブラックのトナーを内蔵している。また、それぞれ現像ローラ３３２を備えており、図示しない接離機構によって、画像形成時にはいずれか１つの現像器の現像ローラのみが感光体３２１に当接し得るようになっている。したがって、これらの現像器３３１は、イエロー、シアン、マゼンタ、ブラックのうちのいずれかのトナーを感光体３２１の表面に付与して感光体３２１上の静電潜像を現像する。
【００４２】
現像されたトナー像は、中間転写ユニットＴＵの中間転写ベルト１６０上に転写される。
【００４３】
クリーニング手段３２３は、上記転写後に、感光体３２１の外周面に残留し付着しているトナー（図示せず）を掻き落とすクリーニングブレード３２４を備えている。
【００４４】
中間転写ユニットＴＵは、後に詳しく説明するように、駆動ローラ１１０と、４本の従動ローラ１２０，１３０，１４０，１５０と、これら各ローラ間に循環可能に張架された無端状の中間転写ベルト１６０と、この中間転写ベルト１６０に対して接離可能なクリーニング手段１７０と、二次転写ローラ１８０とを有している。
【００４５】
駆動ローラ１１０は、その端部に固定された図示しない歯車が、感光体３２１の駆動用歯車（図示せず）と噛み合うことによって、感光体３２１と略同一の周速で回転駆動され、したがって中間転写ベルト１６０が感光体３２１と略同一の周速で図示矢印方向に循環駆動されるようになっている。
【００４６】
従動ローラ１５０は、駆動ローラ１１０との間で中間転写ベルト１６０がそれ自身の張力によって感光体３２１に圧接される位置に配置されており、感光体３２１と中間転写ベルト１６０との圧接部において一次転写部Ｔ１が形成されている。
【００４７】
駆動ローラ１１０には、中間転写ベルト１６０を介して図示しない電極ローラが配置されており、この電極ローラを介して、中間転写ベルト１６０に一次転写電圧が印加される。
【００４８】
従動ローラ１２０はテンションローラであり、後述する付勢手段によって中間転写ベルト１６０をその張り方向に付勢している。
【００４９】
従動ローラ１３０は、二次転写部Ｔ２を形成するバックアップローラである。このバックアップローラ１３０には、中間転写ベルト１６０を介して二次転写ローラ１８０が対向配置されている。
【００５０】
二次転写ローラ１８０は、図示しない接離機構により中間転写ベルト１６０に対して接離可能である。二次転写ローラ１８０には、二次転写電圧が印加される。
【００５１】
クリーニング手段１７０は、中間転写ベルト１６０と接触してその外周面に残留し付着しているトナーを掻き落とすクリーニングブレード１７１と、このクリーニングブレード１７１によって掻き落とされたトナーを受ける受け部１７２とを備えている。このクリーニング手段１７０のブレード１７１は、後述する接離機構によって中間転写ベルト１６０に対して接離可能である。
【００５２】
従動ローラ１４０は、ブレード１７１のためのバックアップローラである。
【００５３】
中間転写ベルト１６０が循環駆動される過程で、一次転写部Ｔ１において、感光体３２１上のトナー像が中間転写ベルト１６０上に転写され、中間転写ベルト１６０上に転写されたトナー像は、二次転写部Ｔ２において、二次転写ローラ１８０との間に供給される用紙等のシート（記録材）Ｓに転写される。
【００５４】
シートＳは、給紙装置３１０から給送され、ゲートローラ対Ｇによって所定のタイミングで二次転写部Ｔ２に供給される。３１１は給紙カセット、３１２はピックアップローラ、３１３はシートの重送を防止する分離ローラ対である。
【００５５】
二次転写部Ｔ２でトナー像が転写されたシートＳは、定着ユニット３４０を通ることによってそのトナー像が定着され、排紙経路３５０を通って、装置本体のケース３０１上に形成されたシート受け部３０３上に排出される。
【００５６】
定着ユニット３４０は、熱源を有する定着ローラ３４１と、これに圧接されている加圧ローラ３４２とを有している。
【００５７】
なお、この画像形成装置は、排紙経路３５０として、互いに独立した２つの排紙経路３５１，３５２を有しており、定着ユニット３４０を通ったシートはいずれかの排紙経路（３５１または３５２）を通って排出される。また、この排紙経路３５１，３５２はスイッチバック経路をも構成しており、シートの両面に画像を形成する場合には、排紙経路３５１または３５２に一旦進入したシートが、返送路３５３を通って再び二次転写部Ｔ２に向けて給送されるようになっている。
【００５８】
以上のような画像形成装置全体の作動の概要は次の通りである。
【００５９】
（ｉ）図示しないホストコンピュータ等（パーソナルコンピュータ等）からの印字指令信号（画像形成信号）が画像形成装置の図示しない制御部に入力されると、後述するようにしてテンションローラ１２０が動き、中間転写ベルト１６０が張架状態となる。次いで、感光体３２１、現像器３３１の各ローラ３３２、および中間転写ベルト１６０が回転駆動される。
【００６０】
（ｉｉ）感光体３２１の外周面が帯電ローラ３２２によって一様に帯電される。
【００６１】
（ｉｉｉ）一様に帯電した感光体３２１の外周面に、露光ユニット３０２によって第１色目（例えばイエロー）の画像情報に応じた選択的な露光Ｌ１がなされ、第１色目（例えばイエロー）用の静電潜像が形成される。
【００６２】
（ｉｖ）感光体３２１には、第１色目（例えばイエロー）用の現像器３３１Ｙの現像ローラのみが接触し、これによって上記静電潜像が現像され、第１色目（例えばイエロー）のトナー像が感光体３２１上に形成される。
【００６３】
（ｖ）中間転写ベルト１６０には上記トナーの帯電極性と逆極性の一次転写電圧が印加され、感光体３２１上に形成されたトナー像が、一次転写部Ｔ１において中間転写ベルト１６０上に転写される。このとき、二次転写ローラ１８０およびベルトクリーニング手段１７０は、中間転写ベルト１６０から離間している。
【００６４】
（ｖｉ）感光体３２１上に残留しているトナーが感光体クリーニング手段３２３によって除去された後、除電手段３０４からの除電光Ｌ２によって感光体３２１が除電される。
【００６５】
（ｖｉｉ）上記（ｉｉ）〜（ｖｉ）の動作が必要に応じて繰り返される。すなわち、上記印字指令信号の内容に応じて、第２色目、第３色目、第４色目、と繰り返され、上記印字指令信号の内容に応じたトナー像が中間転写ベルト１６０上において重ね合わされて中間転写ベルト１６０上に形成される。
【００６６】
（ｖｉｉｉ）所定のタイミングで給紙装置３１０からシートＳが供給され、シートＳの先端が二次転写部Ｔ２に達する直前にあるいは達した後に（要するにシートＳ上の所望の位置に、中間転写ベルト１６０上のトナー像が転写されるタイミングで）二次転写ローラ１８０が中間転写ベルト１６０に押圧されるとともに二次転写電圧が印加され、中間転写ベルト１６０上のトナー像（基本的には４色のトナー像が重ね合わせられたフルカラー画像）がシートＳ上に転写される。また、ベルトクリーニング手段１７０が中間転写ベルト１６０に当接し、二次転写後に中間転写ベルト１６０上に残留しているトナーが除去される。
【００６７】
（ｉｘ）シートＳが定着ユニット３４０を通過することによってシートＳ上にトナー像が定着し、その後、シートＳが所定の位置に向け（両面印刷でない場合にはシート受け部３０３に向け、両面印刷の場合には、スイッチバック経路３５１または３５２を経て返送路３５３に向け）搬送される。
【００６８】
以上、画像形成装置の概要について説明したが、次に主として請求項１記載のユニットとしての中間転写ユニットＴＵおよびその着脱構造等の詳細について説明する。
【００６９】
図２は中間転写ユニットＴＵおよび、このユニットＴＵを着脱可能に装着するために画像形成装置３００に設けられた受けフレーム４００およびそのスライドフレーム４１０を示す斜視図、図３は主として中間転写ユニットＴＵを示す一部省略正面図、図４はテンションが解除された状態の中間転写ユニットＴＵを示す一部省略背面図、図５は中間転写ユニットＴＵの第２ユニットＵ２を第１ユニットＵ１から取り外した状態を示す部分省略斜視図、図６は中間転写ユニットＴＵの第２ユニットＵ２を第１ユニットＵ１に挿入する状態を示す部分省略斜視図、図７は主としてクリーニング手段を示す一部省略右側面図（図４における一部省略左側面図）である。
【００７０】
前述したように中間転写ユニットＴＵは、駆動ローラ１１０と、４本の従動ローラ１２０，１３０，１４０，１５０と、これら各ローラ間に循環可能に張架された無端状の中間転写ベルト１６０と、この中間転写ベルト１６０に対して接離可能なクリーニング手段１７０（図２，図３においては省略してある）と、二次転写ローラ１８０とを有している。
【００７１】
この中間転写ユニットＴＵは、図５に示すように、第１ユニットＵ１と第２ユニットＵ２とを有しており、第２ユニットＵ２は図６に示すように第１ユニットＵ１の中空部１０３に挿入されることによって第１ユニットＵ１に対し着脱可能に装着される。したがって、中間転写ベルト１６０を交換するには、第１ユニットＵ１のみを交換すれば良いようになっている。
【００７２】
第１ユニットＵ１は、フレーム１００を有しており、このフレーム１００の側板１０１，１０１’によって、前述した駆動ローラ１１０と、テンションローラ１２０を除く３本の従動ローラ１３０，１４０，１５０，および二次転写ローラ１８０とが回転可能に支持されている。
【００７３】
クリーニング手段１７０は、図４、図７に示すように、前述したクリーニングブレード１７１と、このクリーニングブレード１７１によって掻き落とされたトナーを受ける受け部１７２と、受け部１７２のトナーを搬送する搬送スクリュー１７３とを備えており、これらはユニットとして構成されている。１７４は、そのユニットのケースであり、このケース１７４の上部に取付部材１７５を介してクリーニングブレード１７１が取り付けられている。受け部１７２はケース１７４の略半円筒部分（図４参照）によって形成されている。
【００７４】
ケース１７４の両端部（図４の紙面と直交する方向において両端部）は円筒状（１７４ａ，１７４ａ’）に形成されており、この円筒部１７４ａ，１７４ａ’に軸受部材１７６を介して搬送スクリュー１７３の軸１７３ａの両端部分が回転可能に支持されている。軸１７３ａの一端（図７において右端）には、スクリュー駆動用のギア１７３ｂが固定されている。
【００７５】
ケース１７４は、その両端の円筒部１７４ａ，１７４ａ’が、フレーム１００の側板１０１，１０１’に形成された受け穴１０８，１０８（図２参照）に対し軸受部材１７８，１７８’を介して嵌まり合うことによってフレーム１００に対して前記円筒部１７４ａの軸線回りに回動可能に支持されている。
【００７６】
図８にも示すように、ケース１７４の一方の筒状部１７４ａの先端下部には、搬送スクリュー１７３で搬送されてきた廃トナー（図示せず）を後述する廃トナーボトル５００（図２９参照）に排出するための排出口１７４ｄが設けられているとともに、この排出口１７４ｄを開閉するためのシャッタ１７９が筒状部１７４ａに対してスライド可能に装着されている。
【００７７】
図２７にも示すように、シャッタ１７９は、前記ケース１７４の筒状部１７４ａに対してスライド可能に嵌まり合っている筒状の基部１７９ａと、この基部１７９ａの一端側において一体に形成された２本の脚部１７９ｂ，１７９ｂおよび突片１７９ｃ，１７９ｃとを有している。一方、前述したフレーム１００の一方の側板１０１に形成された受け穴１０８（図２参照）には、上記脚部１７９ｂ，１７９ｂと対向した位置に、脚部１７９ｂの受け入れ口１０８ａ，１０８ａが形成されており、この受け入れ穴１０８ａ，１０８ａに脚部１７９ｂが前記軸受部材１７８の外周面と摺接するようにしてそれぞれ挿通されている。
【００７８】
図８に明示されるように、軸受部材１７８の外周において、側板１０１の内面１０１ｅとケース１７４の一側面１７４ｅとの間には圧縮コイルバネ１７４ｆが設けられており、このバネ１７４ｆに前記脚部１７９ｂ，１７９ｂの先端部が係合しているが、バネ１７４ｆの図８における左方への伸びは、バネ１７４ｆの一部が側板１０１の内面１０１ｅ（前記受け入れ穴１０８ａ以外の部分）に当接することによって規制されている。
【００７９】
したがって、シャッタ１７９は、これに外力が作用しない限り図７および図８に示すように前記排出口１７４ｄを閉じる位置にあるが、後述するようにして画像形成装置３００本体に廃トナーボトル５００（図２７，図２８参照）が装着され、そのスライダ５１０の先端５１１で前記突片１７９ｃが押圧されると、図９に示すようにバネ１７４ｆのバネ力に抗して矢印Ｚ１方向にスライドし、前記排出口１７４ｄが開かれることとなる（図２９参照）。
【００８０】
図４、図７に示されるように、ケース１７４の両端上部にはピン１７４ｃ，１７４ｃが設けられており、これらピン１７４ｃ，１７４ｃと、フレーム１００の側板１０１，１０１’の内側に屈曲形成されたバネ掛部１０９，１０９との間にはそれぞれ引っ張りバネ１７７が張架されている。このバネ１７７，１７７の付勢力によって、ケース１７４はクリーニングブレード１７１を中間転写ベルト１６０に圧接する方向（図４において反時計方向）に常時付勢されているが、クリーニングブレード１７１の圧接は接離機構によって規制されるようになっている。
【００８１】
接離機構は、受けフレーム４００側に設けられたカム３０５と、このカム３０５に当接するケース１７４の当接部１７４ｂと、前記バネ１７７とで構成されている。カム３０５は、画像形成装置３００本体側に設けられた図示しない駆動手段によって回転駆動されるようになっており、図４に示すように、その小径部３０５ａがケース１７４の当接部１７４ｂに対して当接することなく対向するとき、ケース１７４がその円筒部１７４ａを中心としてバネ１７７の付勢力で反時計方向に回動し、バネ１７７の付勢力でクリーニングブレード１７１が中間転写ベルト１６０に圧接される。また、図４に示す状態からカム３０５が時計方向におよそ１２０゜回転してその大径部３０５ｂがケース１７４の当接部１７４ｂに当接すると、ケース１７４がその円筒部１７４ａを中心としてバネ１７７の付勢力に抗して時計方向に回動し、クリーニングブレード１７１が中間転写ベルト１６０から離間することとなる（離間した状態は図示していない）。
【００８２】
図３に示すように、フレーム１００は、側板１０１，１０１’を連結している断面略逆凹形状の連結板１０２を有しており、この連結板１０２の存在によって構造上十分な強度を有している。すなわち、フレーム１００は中間転写ベルト１６０の下方に位置する底板を有していないが、強度的には十分なものとなっている。
【００８３】
側板１０１，１０１’も側面視略逆凹形状をなしていることから、これら側板１０１，１０１’および連結板１０２の凹所（１０３）で、第２ユニットＵ２を受け入れるための中空部１０３が形成されている。
【００８４】
後に詳しく説明するが、図３に示すように、第２ユニットＵ２は、フレーム２００と、テンションローラ（従動ローラ）１２０と、このテンションローラ１２０により中間転写ベルト１６０に張力を付与する張力付与手段２２０と、中間転写ベルト１６０の張力を解除し得るテンション解除手段２４０とを有している。
【００８５】
したがって、第２ユニットＵ２が第１ユニットＵ１に装着された状態で、中間転写ベルト１６０は、図３に示すように、各ローラ１１０〜１５０によって張架され得るし、図１１および図４に示すようにそのテンションが解除され得る。
【００８６】
図１０は第２ユニットＵ２を示す一部省略右側面図である。
【００８７】
図３〜図６および図１０に示すように、張力付与手段２２０は、テンションローラ１２０の両端を回転可能に支持する一対のレバー２２１，２２１と、これらレバー２２１，２２１を図３において矢印ａ方向に付勢する付勢手段としての引っ張りバネ２２２（図５，図１０参照）とを有している。
【００８８】
図３〜図５に示すように、一対のレバー２２１，２２１は、正面視略Ｌ字形であり、フレーム２００の側板２０１，２０１’に軸２０２（図３参照）でそれぞれ独立して回動可能に支持されている。レバー２２１の一端２２１ａにはテンションローラ１２０の軸１２１（図５参照）の端部が連結されており、他端２２１ｂには、ワイヤ２２３を介して前記引っ張りバネ２２２が連結されている。図５、図６に示すように、ワイヤ２２３は、レバー２２１の他端２２１ｂに連結され、後述するテンション解除手段２４０の揺動フレーム２４１の天板２４１ａに回転可能に軸支されたプーリ２２４により方向が９０゜転換されて引っ張りバネ２２２の一端に連結されている。すなわち、それぞれ独立して回動可能な一対のレバー２２１の他端２２１ｂは、一本の引っ張りバネ２２２の両端にワイヤ２２３を介してそれぞれ連結されており、各レバー２２１の回動角度が異なっている場合でも、各レバー２２１は引っ張りバネ２２２による同一（共通の）のバネ力で図３の矢印ａ方向に付勢されるようになっている。
【００８９】
図３〜図５に示すように、テンション解除手段２４０は、フレーム２００の側板２０１，２０１’に対して、前記レバー２２１と同軸２０２で揺動可能に支持された前記揺動フレーム２４１と、この揺動フレーム２４１を図３において矢印ｂ方向（反時計方向）に付勢している引っ張りバネ２４２，２４２（図３，図４においてそれぞれ一方のみ図示）とを有している。揺動フレーム２４１は、前記天板２４１ａと、その両端を屈曲して形成した一対の側板２４１ｂ，２４１ｂとを有しており、天板２４１ａの両端部分に形成されたバネ掛部２４１ｃ，２４１ｃ（図１０参照）と、フレーム２００の側板２０１，２０１’の内面に設けられたバネ掛部２０１ａ，２０１ａ（図３，図４においてそれぞれ一方のみ図示）との間に前記引っ張りバネ２４２がそれぞれ張架されていることによって、前記軸２０２回り（図３において反時計方向）に付勢されている。
【００９０】
側板２４１ｂ，２４１ｂの内面には、それぞれカムフォロア２４３（図１０参照）が軸２４３ａで回転可能に設けられており、このカムフォロア２４３がカム２４４とそれぞれ当接する。
【００９１】
図４、図１０に示すように、カム２４４は、電磁クラッチ２４５からの出力軸（カム軸）２４６に固定されている。電磁クラッチ２４５は、図４に示すように、そのケース２４５ａに設けられた一対の係合片２４５ｂの間に、フレーム２００の側板２０１，２０１’を連結している連結板２０７（図１３参照）の内面側に設けられた図示しない係合部が挿入される（係合される）ことによって出力軸２４６回りの回転が規制されている。図１０に示すように、電磁クラッチ２４５の円板状の回転角度規制部材２４５ｃにはギア２４７が固定されており、このギア２４７にギア２４８が噛み合っている。ギア２４８は、前記連結板２０７（図１３参照）に設けられた支持板２０７ａ（図１０参照）と前記側板２０１’とで回転可能に支持された軸２４８ａに固定されており、この軸２４８ａの外端部に、動力受け入れ用のギア２４９が固定されている。なお、電磁クラッチ２４５の出力軸２４６は、前記回転角度規制部材２４５ｃおよびギア２４７を貫通しており、これら回転角度規制部材２４５ｃおよびギア２４７とは独立して回動する。また、これら電磁クラッチ２４５，出力軸２４６，ギア２４７，およびカム２４４，２４４は、予め組み立てられた状態で、側板２０１，２０１’に形成されたスリット２０３，２０３（図３〜図５参照）に、出力軸２４６の両端部を、これに図示しない軸受部材を装着した状態で入れ込むことによってフレーム２００に組み込まれる。
【００９２】
動力受け入れ用のギア２４９は、図３および図４に示すように第２ユニットＵ２が第１ユニットＵ１に装着された状態の中間転写ユニットＴＵが、後述するようにして受けフレーム４００に装着されたとき、受けフレーム４００側に設けられた図示しないギアと噛み合い、このギアを介して装置本体の図示しない駆動手段からの動力を受けるようになっている。
【００９３】
すなわち、カム２４４は、中間転写ユニットＴＵが装置本体に装着されたとき、図示しない駆動手段によって、ギア２４９，２４８，ギア２４７，電磁クラッチ２４５，およびその出力軸２４６を介し、電磁クラッチ２４５の作用により、図３または図４に示す位置に回動駆動される。
【００９４】
図３に示すようにカム２４４は大径部２４４ａと小径部２４４ｂとを有しており、同図に示すようにその大径部２４４ａがカムフォロア２４３と当接しているとき、揺動フレーム２４１が引っ張りバネ２４２の付勢力に抗し図３において時計方向に回動して同図に示すような状態となり、張力付与手段２２０の引っ張りバネ２２２の付勢力によってテンションローラ１２０が中間転写ベルト１６０を内方から押圧する。これによって、中間転写ベルト１６０にテンションが付与され、駆動ローラ１１０で中間転写ベルト１６０が循環駆動され得る状態となる。
【００９５】
一方、図１１および図４に示すようにカム２４４が回動し、その小径部２４４ｂがカムフォロア２４３と当接すると、揺動フレーム２４１が引っ張りバネ２４２の付勢力により図１１において反時計方向に回動して同図に示すような状態となる。この際、張力付与手段２２０の引っ張りバネ２２２は依然としてレバー２２１を時計方向に付勢しているが、揺動フレーム２４１が反時計方向に回動することによりレバー２２１は揺動フレーム２４１の天板２４１ａと当接することで時計方向（矢印ａ方向）への回動が規制され、結果としてテンションローラ１２０が中間転写ベルト１６０から離間することとなる。これによって、中間転写ベルト１６０のテンションが解除されることとなる。
【００９６】
この実施の形態では、装置３００の電源が入れられた状態で前述した画像形成信号が入力されるとカム２４４が図３に示すように回動して中間転写ベルト１６０を張架状態とし、画像形成動作が終了して所定時間経過すると、カム２４４が図１１で示すように回動して中間転写ベルト１６０の張架状態が解除されるようになっている。なお、装置３００の電源が入れられた際にカム２４４が図３に示すように回動して中間転写ベルト１６０を張架状態とし、装置の電源が切られたときに、カム２４４が図１１で示すように回動して中間転写ベルト１６０の張架状態が解除されるようにしても良い。
【００９７】
図１２は中間転写ベルト１６０およびローラ１１０〜１５０の概略的な展開図である。
【００９８】
同図および図３に示すように、中間転写ベルト１６０には、その両側縁部裏面にビード１６１が設けられており、中間転写ベルト１６０が蛇行しようとしたときに、ビード１６１の内側面１６２がバックアップローラ１３０の端面１３１に当接することによって中間転写ベルト１６０の蛇行が防止されるようになっている。別言すれば、バックアップローラ１３０はビード規制ローラを構成している。
【００９９】
したがって、仮に何等の手段も講ぜられていないとしたならば、上述したようにして中間転写ベルト１６０のテンションが解除されて中間転写ベルト１６０が弛んだ際、ビード１６１がビード規制ローラ１３０の端面１３１から外れてしまうおそれがある。
【０１００】
そこで、この実施の形態では、図３および図５等に示すように、フレーム１００の側板１０１，１０１’におけるビード規制ローラ１３０近くの部位を内方に屈曲して舌片状に形成し、この舌片１０４，１０４を、弛んだ際の中間転写ベルト１６０の表面両側縁部に軽く当接させることによって、ビード規制ローラ１３０近くにおける弛みを規制し、ビード１６１がビード規制ローラ１３０の端面１３１から外れることを防止している。
【０１０１】
第１ユニットＵ１に対する第２ユニットＵ２の装着構造は、適宜の構造を採用し得る。
【０１０２】
例えば、図１３に示すように、第２ユニットＵ２のフレーム２００の先端（挿入方向先端）両側に一対のピン２０４，２０４を設けるとともに、第１ユニットＵ１におけるフレーム１００の連結板１０２の両内側面には前記ピン２０４を上下方向から規制して案内するガイドレール１０５，１０５を設ける。このガイドレール１０５は、そのガイド溝１０５ａの幅が先端部でテーパ状に先細り（後述するガイドレール４０１（図１７，図１８参照）の先端部４０１ａ１と実質的に同様な形状）となっており、終端部でピン２０４の外径と同一寸法となっている。また、図２、図５および図６に示すように、第２ユニットＵ２のフレーム２００の後端（挿入方向後端）側の側板２０１の上部にフック２０５を設けるとともに、第１ユニットＵ１におけるフレーム１００の一方の側板１０１の前記フック２０５との対向部にはフック２０５との係合部１０６を設ける。さらに、前記側板２０１の上部両端には一対の位置決めピン２０６，２０６を設けるとともに、第１ユニットＵ１の前記側板１０１には、ピン２０６，ピン２０６との係合穴１０７，１０７を設ける。フック２０５は図示しないバネにより係合部１０６と係合する方向に常時付勢されているが、摘み２０５ａを持って係合部１０６との係合を解除し得るように構成する。第２ユニットＵ２を第１ユニットＵ１に装着するには、第２ユニットＵ２先端のピン２０４，２０４を第１ユニットＵ１のガイドレール１０５，１０５に入れるようにして第２ユニットＵ２を第１ユニットＵ１の中空部１０３に挿入する（図６参照）。この挿入により、第２ユニットＵ２のフック２０５は、これが第１ユニットＵ１の係合部１０６に達すると、その傾斜部２０５ｂが係合部１０６に当接することで前記バネ力に抗して回動しつつ係合部１０６を乗り越えるようにして係合部１０６と係合する。また同時に、第２ユニットＵ２のピン２０４がガイドレール１０５の先端部に達して前述した先細りの溝１０５ａのその先端部分と係合して位置決めがなされるとともに、前記位置決めピン２０６，２０６が第１ユニットＵ１の係合穴１０７に嵌まり合うことによって第１ユニットＵ１と第２ユニットＵ２との位置決めが完全になされて装着が完了する。第２ユニットＵ２を第１ユニットＵ１から取り外すには、摘み２０５ａを持ってフック２０５と係合部１０６との係合を解除し、第２ユニットＵ２を第１ユニットＵ１から引き抜けば良い。
【０１０３】
第２ユニットＵ２の第１ユニットＵ１に対する抜き差しは、テンション解除手段２４０が作動状態、すなわち、カム２４４の小径部２４４ｂがカムフォロア２４３と当接している状態（図１１参照）で行なう。カム２４４の大径部２４４ａがカムフォロア２４３と当接している非作動状態（図３参照）で行なおうとすると、テンションローラ１２０と中間転写ベルト１６０内面との間に摺接抵抗が生じ、その抵抗が大きいことから、第２ユニットＵ２の第１ユニットＵ１に対する抜き差しが困難になるからである。なお、後述するように、第２ユニットＵ２を抜く際には自動的にテンション解除手段２４０が作動状態（図１１参照）となっていることとなる。
【０１０４】
以上のような中間転写ユニットＴＵは、図２に示すように、画像形成装置３００の本体側に設けられた受けフレーム４００に上方から着脱可能に装着される。
【０１０５】
受けフレーム４００は、画像形成装置３００本体のフレーム３００Ｆ１（図１７参照）に固定された略水平方向に伸びる一対のガイドレール４０１，４０１と、このガイドレール４０１，４０１に対してスライド可能に取り付けられたスライドフレーム４１０とを有している。
【０１０６】
スライドフレーム４１０は、一対の側板４１１，４１１’と、これら側板同士をその一端側で連結している連結部材４１２と、側板同士をその他端側で連結している連結板４１３とを有しているが、底板は有していない。
【０１０７】
側板４１１，４１１’にはそれぞれ、外側に突出している前後のピン４１１ａ，４１１ｂが設けられており、これらのピンがガイドレール４０１の案内溝４０１ａで案内されることによってスライドフレーム４１０がガイドレール４０１に沿って略水平方向（中間転写ユニットＴＵのローラ１１０〜１５０の軸線方向と直交する略水平方向）にスライド可能となっている。案内溝４０１ａの先端部４０１ａ１（図１７，図１８参照）の溝幅は、位置決めのために、前位のピン４１１ａの直径と同じに形成されている。
【０１０８】
図２に示すように、中間転写ユニットＴＵの一方の側板１０１には外側に突出している第１の位置決めピン１０１ａと第２の位置決めピン１０１ｂとが設けられている。第１の位置決めピン１０１ａは側板１０１に直接固定されているが、第２の位置決めピン１０１ｂは固定片１０１ｆを介して第１の位置決めピン１０１ａと直交する方向に向けて固定されている。また、他方の側板１０１’の外側には前記第１の位置決めピン１０１ａと同方向に向かう第３、第４の位置決めピン１０１ｃ，１０１ｄが固定されている。
【０１０９】
一方、スライドフレーム４１０の側板４１１の内面には、前記第１、第２の位置決めピン１０１ａ，１０１ｂの受け部４１４ａ，４１４ｂが設けられており、他方の側板４１１’の内面には、前記第３、第４の位置決めピン１０１ｃ，１０１ｄの受け部４１４ｃ，４１４ｄが設けられている。これら受け部４１４（ａ，ｂ，ｃ，ｄ）は、図１４にも示すように、それぞれ対応する位置決めピンの受け溝４１４ａ１，４１４ｂ１，４１４ｃ１，４１４ｄ１を有している。これら受け溝の溝幅はそれぞれ、上部においては各ピンの外径よりも十分に広く形成され、下部に向かって徐々に細くなるように形成されている。受け溝４１４ａ１，４１４ｂ１，４１４ｃ１の下端部４１４ａ２，４１４ｂ２，４１４ｃ２の溝幅は対応する位置決めピン１０１（ａ，ｂ，ｃ）の外径と同一に形成されており、受け溝４１４ｄ１の下端部４１４ｄ２の溝幅は対応する位置決めピン１０１ｄの外径よりも多少大きく形成されている。
【０１１０】
中間転写ユニットＴＵのスライドフレーム４１０への装着は、中間転写ユニットＴＵの各位置決めピンをスライドフレーム４１０の各受け溝に入れるようにして中間転写ユニットＴＵをスライドフレーム４１０内に上方から入れ込むことによってなされる。各受け溝の溝幅は上部において各ピンの外径よりも十分に広く形成されているので、装着作業は容易に行なうことができる。
【０１１１】
中間転写ユニットＴＵがスライドフレーム４１０へ装着された状態を図１５および図１６に示す。
【０１１２】
これらの図に示すように、中間転写ユニットＴＵがスライドフレーム４１０へ装着された状態では、位置決めピン１０１（ａ，ｂ，ｃ）が、対応する受け溝の下端部４１４ａ２，４１４ｂ２，４１４ｃ２と密に嵌まり合い、位置決めピン１０１ｄがその受け溝の下端部４１４ｄ２と緩く嵌まり合うことによって、図１５におけるＸ，Ｙ，Ｚ方向の位置決めがなされる。より詳しくは、位置決めピン１０１ａ，１０１ｃと、これに対応する受け溝の下端部４１４ａ２，４１４ｃ２との係合によってＸ方向の位置決めがなされ、４本の位置決めピンと、これに対応する受け溝の底辺部との当接によってＹ方向の位置決めがなされ、位置決めピン１０１ｂと、これに対応する受け溝の下端部４１４ｂ２との係合によってＺ方向の位置決めがなされる。位置決めピン１０１ｄと、その受け溝の下端部４１４ｄ２とが、緩く嵌まり合う構成となっているので、中間転写ユニットＴＵのフレーム１００、およびスライドフレーム４１０に多少の製造誤差があっても上記位置決めは円滑になされる。
【０１１３】
以上のようにして中間転写ユニットＴＵがスライドフレーム４１０に装着されると、スライドフレーム４１０に設けられた図示しない動力伝達ギアに、前述したテンション解除手段２４０の動力受け入れ用のギア２４９（図４，図１０参照）が噛み合うようになっている。また、クリーニング手段１７０の搬送スクリュー１７３の駆動用のギア１７３ｂが、スライドフレーム４１０に設けられた図示しない動力伝達ギアに噛み合うようになっている。また、図４に示したクリーニング手段１７０のケース１７４の当接部１７４ｂがスライドフレーム４１０側のカム３０５と当接し得る状態となる。
【０１１４】
図１７に示すように、この実施の形態の画像形成装置３００は中間転写ユニットＴＵが後述するようにして挿入される第１フレーム３００Ｆ１と、この第１フレーム３００Ｆ１に対して接合および離間可能に構成された正面視略逆Ｌ字形の第２フレーム３００Ｆ２とを有している。第２フレーム３００Ｆ２は、第１フレーム３００Ｆ１に対して矢印Ｘ１，Ｘ２方向にスライド可能に構成されている。また、図１に示したケース３０１は同図におけるＢ−Ｂ位置で分離可能に構成されている。
【０１１５】
この実施の形態では、図１７に示すように、第２フレーム３００Ｆ２を矢印Ｘ２方向にスライドさせて第１フレーム３００Ｆ１から離間させ、両者間の空間Ａを利用してスライドフレーム４１０に対する中間転写ユニットＴＵの着脱操作を行なうようになっている。
【０１１６】
したがって、実際には、図１７および図１８に示すように、スライドフレーム４１０がガイドレール４０１の後端まで引き出された状態で、中間転写ユニットＴＵの着脱操作がなされる。
【０１１７】
図１７および図１８に示すように中間転写ユニットＴＵをスライドフレーム４１０に装着した後、スライドフレーム４１０を、その前位のピン４１１ａがガイドレール４０１の案内溝４０１ａの先端部４０１ａ１に達するまでスライドさせ、その後第２フレーム３００Ｆ２を矢印Ｘ１方向にスライドさせて第１フレーム３００Ｆ１と結合させることにより、後述するロック手段によってスライドフレーム４１０および中間転写ユニットＴＵが図１に示した位置に（感光体３２１に対して中間転写ベルト１６０が適切に当接し得る位置に）、位置決めされかつロックされるようになっている。
【０１１８】
図２２は上のようにしてスライドフレーム４１０および中間転写ユニットＴＵが位置決めされかつロックされた状態を示す部分省略正面図、図２３は主としてロック手段およびロック解除手段を示す部分省略正面図、図２４は同じく部分省略右側面図である。
【０１１９】
図２２，図２４に示すように、ロック手段３６０は、スライドフレーム４１０の側板４１１，４１１’の外側面にそれぞれ固定されたピン４１５，４１５と、このピン４１５，４１５と係合可能なロック爪３６１，３６１と、スライドフレーム４１０および中間転写ユニットＴＵを、中間転写ベルト１６０が感光体３２１との当接部（一次転写部Ｔ１）における略法線方向に移動して感光体３２１に当接する方向（矢印Ｎ１方向）に移動させる、第２フレーム３００Ｆ２における押し上げ部３６２（図２２参照）とで構成されている。
【０１２０】
ロック爪３６１，３６１は、図２３、図２４に示すように、それぞれ取付プレート３６３を介して第１フレーム３００Ｆ１の側板３６４，３６４’に取り付けられている。取付プレート３６３には軸３６３ａが設けられており、この軸３６３ａにロック爪３６１は回動可能に取り付けられている。軸３６３ａには捻りコイルバネ３６５が装着されており、そのバネ力でロック爪３６１は図２３における反時計方向に常時付勢されているが、その反時計方向への回動は、図示しないストッパによって規制されている。ロック爪３６１および捻りコイルバネ３６５は、予め取付プレート３６３に組み込まれ、その取付プレート３６３を側板３６４，３６４’にネジ等で固定することにより側板３６４，３６４’に取り付けられるが、側板３６４，３６４’に取り付けられた状態で、ロック爪３６１の傾斜部３６１ａが、前述したようにして押し込まれてくるスライドフレーム４１０の前記ピン４１５と当接し得るように（図２１参照）、ロック爪３６１の前記反時計方向への回動が規制されている。
【０１２１】
なお、ロック手段３６０の作動およびそれに関連する他の構成については後に詳しく説明する。
【０１２２】
図２３に示すように、ロック解除手段３７０は、ロック解除レバー３７１を備えている。ロック解除レバー３７１は、軸３７１ａで第１フレーム３００Ｆ１の一方（装置前面側）の側板３６４に回動可能に取り付けられており、そのアーム部３７１ｂがリンク３７２によって前記ロック爪３６１に連結されている。
【０１２３】
したがって、図２３において、ロック解除レバー３７１を時計方向に回動させると、ロック爪３６１が捻りコイルバネ３６５の付勢力に介して時計方向に回動することとなるが、この実施の形態においては、後述する廃トナーボトル５００（図３０参照）が画像形成装置３００本体に装着された状態では、ロック解除レバー３７１の解除方向（図において時計方向）への回動が規制されるようになっている。
【０１２４】
なお、ロック解除手段３７０の作動についても後に詳しく説明する。
【０１２５】
図２３において、３８０は中間転写ユニットＴＵが装置３００本体に対して入れられた際に、その取り出しを規制する取出規制手段であり、押し込まれたスライドフレーム４１０の引き出し方向へのスライドを規制するスライド規制手段として構成されている。
【０１２６】
このスライド規制手段３８０は、押し込まれたスライドフレーム４１０のピン４１１ａ，４１１ａを抱え込むようにしてピン４１１ａと係合可能な一対の爪部材３８１，３８１（一方のみ図示）と、この爪部材３８１，３８１によるピン４１１ａ，４１１ａに対する規制を解除する規制解除機構３８２とを有している。
【０１２７】
爪部材３８１，３８１は、それぞれ軸３８１ａで第１フレーム３００Ｆ１の側板３６４，３６４’に対して回動可能に取り付けられている。軸３８１ａには図示しない捻りコイルバネが装着されており、そのバネ力で爪部材３８１は図２３において反時計方向に常時付勢されているが、その反時計方向への回動は、爪部材３８１の爪部３８１ｂの傾斜部３８１ｃが、前述したようにして押し込まれてくるスライドフレーム４１０の前記ピン４１１ａと当接し得るように（スライドフレーム４１０が押し込まれる前の状態において、図２３に示す位置よりも若干反時計方向に回動した位置となるように）、図示しないストッパによって規制されている。
【０１２８】
主として図２３に示すように、規制解除機構３８２は、スライドフレーム４１０に組み込まれており、スライドフレーム４１０に対して軸３８３ａで回動可能に取り付けられた取手３８３と、この取手３８３の両端において、取手３８３とそれぞれ連動する一対のレバー３８４，３８４（一方のみ図示）と、このレバー３８４，３８４に対して回動可能に連結されたプッシュ部材３８５，３８５（一方のみ図示）とを備えている。
【０１２９】
取手３８３は、後述するようにしてスライドフレーム４１０を引き出すために回動させられた際に（図３４参照）指を掛け得る状態となる指掛部３８３ｂと、前記レバー３８４，３８４との係合ピン３８３ｃ，３８３ｃ（一方のみ図示）とを有している。
【０１３０】
レバー３８４，３８４は、その一端側に設けられ、前記取手３８３の係合ピン３８３ｃと係合する略「へ」の字形の長穴３８４ｃと、他端側に設けられた前記プッシュ部材３８５との連結ピン３８４ｂとを有しており、スライドフレーム４１０の側板４１１，４１１’にそれぞれ軸３８４ａで回動可能に取り付けられている。
【０１３１】
プッシュ部材３８５は、その一端が前記連結ピン３８４ｂで前記レバー３８４に連結され、他端側に設けられた長穴３８５ｂが側板４１１（４１１’）に突設されたピン４１１ｃにスライド可能に係合している。プッシュ部材３８５の他端３８５ａは、前記爪部材３８１のアーム部３８１ｃの側方に突設されたピン３８１ｄに対して当接可能な位置にある。
【０１３２】
したがって、後述するようにしてスライドフレーム４１０を引き出すために取手３８３を図２３において時計方向に回動させると（図３４参照）、それに連動してレバー３８４，３８４も軸３８４ａ回りに時計方向に回動し、プッシュ部材３８５が図２３において左方にスライドして、その他端３８５ａが前記爪部材３８１のピン３８１ｄを押圧し、これにより爪部材３８１，３８１が軸３８１ａ回りに時計方向に回動してその爪部３８１ｂによるピン４１１ａに対する抱え込み（係合による規制）が解除されることとなる。
【０１３３】
なお、レバー３８４および取手３８３の回動動作が円滑になされるようにするために、レバー３８４，３８４と受けフレーム４００の側板４１１，４１１’との間には引っ張りバネ３８６が張架されている。
【０１３４】
以下、中間転写ユニットＴＵ等の取付、取り外し操作（出し入れ操作）とともに上記ロック手段３６０，ロック解除手段３７０，およびスライド規制手段３８０の作動について説明する。なお、関連する構成についても説明する。
【０１３５】
先ず取付操作について説明する。
【０１３６】
（１）図１７に示したように画像形成装置３００の第２フレーム３００Ｆ２を矢印Ｘ２方向にスライドさせ、スライドフレーム４１０を引き出した状態で、同図および図１８に示すように中間転写ユニットＴＵをスライドフレーム４１０に装着する。
【０１３７】
図１９は、引き出されたスライドフレーム４１０に中間転写ユニットＴＵが装着された状態を示す概略正面図である。
【０１３８】
この図に示すように、引き出されたスライドフレーム４１０は、前位のピン４１１ａがガイドレール４０１の天板４０１ｂと当接し、後位のピン４１１ｂがガイドレール４０１の底板４０１ｃと当接していることによってガイドレール４０１で支持されている。
【０１３９】
（２）スライドフレーム４１０を、その前位のピン４１１ａがガイドレール４０１の案内溝４０１ａの先端部４０１ａ１に達するまでスライドさせる（図２０参照）。なお、案内溝４０１ａの先端部４０１ａ１は、図１９に示すように、ガイドレール４０１の先端に、ガイドプレート４０１ｄを取り付けることによって形成されている。
【０１４０】
前位のピン４１１ａがガイドレール４０１の先端部４０１ａ１に達するまでスライドフレーム４１０をスライドさせる過程で、前位のピン４１１ａが前述したスライド規制手段３８０における爪部材３８１の傾斜部３８１ｃに当接することによって傾斜部３８１ｃが押し下げられ（爪部材３８１が図２１において時計方向に回動し）、ピン４１１ａがガイドレール４０１の先端部４０１ａ１に達した時点で爪部材３８１が反時計方向に回動してピン４１１ａが爪部材３８１で抱え込まれ、スライドフレーム４１０の抜け方向（図２１における右方）へのスライドが防止（規制）されることとなる（図２１参照）。
【０１４１】
また、前位のピン４１１ａがガイドレール４０１の先端部４０１ａ１に達するまでスライドフレーム４１０をスライドさせる過程で、スライドフレーム４１０のピン４１５がロック手段３６０におけるロック爪３６１（図２１参照）の傾斜部３６１ａに当接するので、ピン４１１ａがガイドレール４０１の先端部４０１ａ１に達した時点では、ロック爪３６１がピン４１５に押されて多少時計方向へ回動した状態となる（図２１参照）。
【０１４２】
図２０および図１８に示すように、スライドフレーム４１０の側板４１１，４１１’の後方下部には、コロ４１６，４１６’が設けられており、このコロ４１６，４１６’は第２フレーム３００Ｆ２（図２０参照）における押し上げ部３６２と当接し得る位置に位置する。
【０１４３】
図２０において、Ｃ１は第１コネクタ、Ｃ２は第２コネクタである。第１コネクタＣ１は画像形成装置３００本体の第１フレーム３００Ｆ１の側板３６４’（図２４参照）に取り付けられており、中間転写ユニットＴＵが装着されたことの有無を検出する信号系の回路の一部をなしている。第２コネクタＣ２は、スライドフレーム４１０の他方の側板４１１’（図２，図１５参照）の取付部４１１’ｄに取り付けられており、前記回路（中間転写ユニットＴＵが装着されたことの有無を検出する信号系の回路）の一部を構成する。
【０１４４】
図２０に示すように、スライドフレーム４１０を、その前位のピン４１１ａがガイドレール４０１の案内溝４０１ａの先端部４０１ａ１に達するまでスライドさせる（完全に押し込む）と、第１コネクタＣ１と第２コネクタＣ２とが対向し、後述するようにしてロック手段３６０による中間転写ユニットＴＵのロックがなされた際に、第１コネクタＣ１と第２コネクタＣ２とが連結され（図２５参照）、これによって前記回路が閉成されて、中間転写ユニットＴＵが装着された状態であることが画像形成装置３００本体の制御部により検出されることとなる。
【０１４５】
（３）第２フレーム３００Ｆ２を図２１に示すように矢印Ｘ１方向（図１７における矢印Ｘ１方向）にスライドさせ第１フレーム３００Ｆ１と結合させる。第２フレーム３００Ｆ２が矢印Ｘ１方向へ完全にスライドしきった状態は、図２２および図２３に示されている。
【０１４６】
図２１に示すように、第２フレーム３００Ｆ２が矢印Ｘ１方向へスライドする過程で、第２フレーム３００Ｆ２の押し上げ部３６２，３６２（一方のみ図示）がスライドフレーム４１０のコロ４１６，４１６’と当接し、第２フレーム３００Ｆ２がさらにスライドし続けることにより、コロ４１６，４１６’すなわちスライドフレーム４１０の後部が押し上げられる。別の見方をすれば、コロ４１６，４１６’が押し上げ部３６２，３６２を駆け上がるようにしてスライドフレーム４１０が前位のピン４１１ａを回動中心にして矢印ａ１方向（図２１において反時計方向）に回動する。この回動の方向は、中間転写ベルト１６０が感光体３２１との当接部（図２２に示す一次転写部Ｔ１）における略法線方向（図２２における矢印Ｎ１方向）に移動して感光体３２１に当接する方向である。
【０１４７】
スライドフレーム４１０のピン４１５は、ロック手段３６０におけるロック爪３６１の傾斜部３６１ａに当接しているので、スライドフレーム４１０の上記回動により、ロック爪３６１がさらに時計方向へ回動することとなる。
【０１４８】
そして、図２２に示すように、第２フレーム３００Ｆ２が矢印Ｘ１方向へ完全にスライドしきった状態では、コロ４１６，４１６’が押し上げ部３６２，３６２を登りきって第２フレーム３００Ｆ２の水平部３６７，３６７（一方のみ図示）に達することでスライドフレーム４１０の上記回動が完了するとともに、スライドフレーム４１０のピン４１５がロック爪３６１の傾斜部３６１ａを乗り越えるようにしてロック爪３６１と係合することとなる。すなわち、ロック手段３６０によるロックがなされることとなる。なお、スライドフレーム４１０のピン４１５がロック爪３６１と係合することにより、後述するようにして第２フレーム３００Ｆ２が図１７におけるＸ２方向にスライドさせられただけでは、スライドフレーム４１０は時計方向へ回動しない状態となる。
【０１４９】
また、スライドフレーム４１０の上記回動により、図２５に示すように、前述した第１コネクタＣ１と第２コネクタＣ２とが結合される。
【０１５０】
そして、上記ロックがなされた際、前述したテンション解除手段２４０のための、スライドフレーム４１０に設けられた図示しない動力伝達ギアおよびクリーニング手段１７０のための動力伝達ギアが装置本体の図示しない駆動手段をなすギアと噛み合う。
【０１５１】
図２１、図２４において、３６４’ａは第１フレーム３００Ｆ１の他方の側板３６４’の内方に固定されたスライドフレーム４１０に対する回動規制板である。この回動規制板３６４’ａは、スライドフレーム４１０をスライドさせる際のコロ４１６’の移動軌跡に沿ってその上方に設けられているが、前位のピン４１１ａがガイドレール４０１の案内溝４０１ａの先端部４０１ａ１に達した状態でスライドフレーム４１０が回動する際のコロ４１６’の回動軌跡中には設けられていない。
【０１５２】
したがって、図２１に示すように、スライドフレーム４１０が完全に押し込まれた状態で第２フレーム３００Ｆ２を矢印Ｘ１方向へスライドさせた場合には、スライドフレーム４１０は矢印ａ１方向へ回動することとなるが、図２６に示すように、操作者の誤操作により、スライドフレーム４１０が完全に押し込まれていない状態で第２フレーム３００Ｆ２がスライド操作された場合には、コロ４１６’が回動規制板３６４’ａに当接することでスライドフレーム４１０の回動が規制され、これによって誤操作が防止されるようになっている。なお、仮に回動規制板３６４’ａが設けられていない状態で、上記のような誤操作によってスライドフレーム４１０が不適切な位置で回動したとすると、コネクタＣ１，Ｃ２等の部品ないし装置の他の部位が破損するおそれがあるが、この実施の形態によればそのようなおそれがなくなる。
【０１５３】
（４）上記（３）で説明したように第２フレーム３００Ｆ２をスライドさせて第１フレーム３００Ｆ１と結合させた後、図２７、図２８に示すように、廃トナーボトル５００を画像形成装置３００本体に装着する。
【０１５４】
図２８において、３０６は画像形成装置３００本体の前カバーであり、この前カバー３０６は、第１フレーム３００Ｆ１に対して軸３０６ａで開閉可能に取り付けられている。廃トナーボトル５００の着脱操作は、この前カバー３０６が図２８に示すように開かれた状態で行なわれる。
【０１５５】
画像形成装置３００本体の第１フレーム３００Ｆ１には図２７に示すような廃トナーボトル５００の支持板５２０，５２０が設けられている。廃トナーボトル５００の両側面には、２対の凸部５０１，５０１，５０２，５０２が設けられているとともに、前記支持板５２０には、これら凸部５０１，５０２を案内するスリット５２１，５２２が設けられている。スリット５２１，５２２の終端部５２１ａ，５２２ａの近くには、終端部５２１ａ，５２２ａまで入れられた凸部５０１，５０２を保持するためのくびれ部５２１ｂ，５２２ｂが形成されている。したがって、凸部５０１，５０２をスリット５２１，５２２に沿わせ、廃トナーボトル５００の筒状口部５０３（図２８参照）を前述したクリーニング手段１７０のシャッタ１７９に合わせつつ凸部５０１，５０２をスリット５２１，５２２の終端部５２１ａ，５２２ａにクリック感を持って嵌め合わせることにより、廃トナーボトル５００が画像形成装置３００本体に装着されることとなる（図２７，図２８参照）。
【０１５６】
このようにして廃トナーボトル５００が装着されると、廃トナーボトル５００の一部（この実施の形態では、図３０に示すように廃トナーボトル５００の天井部の傾斜部）５０４が、前述したロック解除レバー３７１の下方に位置し（図３０参照）、これによってロック解除レバー３７１の時計方向（ロック解除方向）への回動が防止されることとなる。
【０１５７】
また、廃トナーボトル５００の筒状口部５０３にはスライダ５１０が取り付けられており、廃トナーボトル５００が装着されると、そのスライダ５１０の先端５１１がシャッタ１７９の突片１７９ｃと当接する（少なくとも当接し得る状態となる）。
【０１５８】
（５）図２８に示した状態から、図２９に示すように前カバー３０６を閉じる。
【０１５９】
図２８および図２９に示すように、前カバー３０６の内側にはスライダ５１０の他端部５１２と当接し得る当接部３０６ｂが設けられている。
【０１６０】
したがって、前カバー３０６が閉じられると、当接部３０６ｂがスライダ５１０を押圧し、スライダ５１０の先端５１１がシャッタ１７９の突片１７９ｃを押圧することで、シャッタ１７９がバネ１７４ｆのバネ力に抗して図中右方へスライドし、前記クリーニング手段１７０の排出口１７４ｄが開かれることとなる。
【０１６１】
すなわち、この実施の形態によれば、中間転写ユニットＴＵおよび廃トナーボトル５００が装着され、かつ前カバー３０６が閉じられている場合にのみ、クリーニング手段１７０の排出口１７４ｄが開かれることとなる。
【０１６２】
以上のようにして、中間転写ユニットＴＵが装置３００本体に装着され、画像形成装置３００が作動して中間転写ベルト１６０の張力がテンション解除手段２４０により解除されていない状態、すなわちテンション解除手段２４０が非作動状態（図３に示す状態）となって中間転写ベルト１６０が張架状態となったとき、中間転写ベルト１６０がローラ１１０，１５０間でベルト１６０自身の張力により装置３００本体の感光体３２１に圧接され、一次転写部Ｔ１を形成することとなる。したがって、中間転写ユニットＴＵは中間転写ベルト１６０を感光体３２１に圧接するための一次転写ローラを有していない。
【０１６３】
以上、中間転写ユニットＴＵ等の取付操作について説明したが、この実施の形態の画像形成装置３００は、前記中間転写ユニットＴＵが装着されていることを検出する第１コネクタＣ１，Ｃ２の他に、第２フレーム３００Ｆ２が第１フレーム３００Ｆ１に連結されたことを検出する検出手段（リミットスイッチ等からなる検出手段）と、廃トナーボトル５００が装着されていることを検出する検出手段（同前）と、前カバー３０６が閉じられていることを検出する検出手段（同前）とを備えており、中間転写ユニットＴＵが装着され、第２フレーム３００Ｆ２が第１フレーム３００Ｆ１に連結され、廃トナーボトル５００が装着され、前カバー３０６が閉じられている場合にのみ画像形成動作が可能となっている。
【０１６４】
次に、中間転写ユニットＴＵ等の取り外し操作について説明する。
【０１６５】
（６）図３０に示すように、第２フレーム３００Ｆ２を矢印Ｘ２方向へスライドさせる。
【０１６６】
この状態では、第２フレーム３００Ｆ２の押し上げ部３６２および水平部３６７によるコロ４１６（４１６’）を介したスライドフレーム４１０に対する支持は解除されるが、スライドフレーム４１０のピン４１５とロック手段のロック爪３６１とが係合していることによって、スライドフレーム４１０のピン４１１ａを中心とした時計方向への回動は防止されている。
【０１６７】
（７）前述した前カバー３０６を開き、廃トナーボトル５００を取り外す。その状態を図３１に示す。
【０１６８】
この状態では、廃トナーボトル５００によるロック解除レバー３７１に対する規制が解除されるので、ロック解除レバー３７１を時計方向へ回動させることが可能な状態となる。
【０１６９】
ロック爪３６１の取付プレート３６３には、スライドフレーム４１０が矢印Ｘ２方向へ引き出されようとした場合にピン４１５と当接する規制部３６３ｂが設けられている。したがって、ロック爪３６１によるピン４１５に対する係合を解除することなく、規制解除機構３８２（図２３参照）の取手３８３を回動させてピン４１１ａに対する爪部材３８１の抱え込みを解除し、スライドフレーム４１０を引き出そうとしても、引き出すことはできない。
【０１７０】
なお、この（７）の操作と前記（６）の操作は逆に行なってもかまわない。すなわち、前カバー３０６を開き、廃トナーボトル５００を取り外した後に、第２フレーム３００Ｆ２を矢印Ｘ２方向へスライドさせてもよい。
【０１７１】
（８）図３２に示すように、ロック解除レバー３７１を時計方向へ回動させる。
【０１７２】
すると、図示のように、ロック爪３６１も時計方向へ回動し、ピン４１５に対するロック爪３６１の係合が解除されるので、図３３に示すように、スライドフレーム４１０（および中間転写ユニットＴＵ）が、その自重により前位のピン４１１ａを中心として、後位のピン４１１ｂがガイドレール４０１の底板４０１ｃと当接するまで矢印ａ２方向へ回動する。したがって、スライドフレーム４１０のピン４１５もスライドフレーム４１０とともに矢印ａ２方向へ回動し、これによって図３３に示すように、ピン４１５に対する取付プレート３６３の規制部３６３ｂによる規制も解除される。
【０１７３】
このときの中間転写ユニットＴＵの回動方向は、その中間転写ベルト１６０が感光体３２１との当接部における略法線方向（図２２におけるＮ２方向）であり、この回動によって中間転写ベルト１６０が感光体３２１から離間する位置（図３３に示す位置）に移動することとなる。
【０１７４】
（９）図３３に示す状態から、図３４に示すように、規制解除機構３８２の取手３８３を時計方向（矢印ｂ１方向）に回動させて指掛部３８３ｂを引き起こす。この操作によって、初めて、指掛部３８３ｂに指を掛け得る状態となる。
【０１７５】
また、上記操作に連動してレバー３８４も軸３８４ａ回りに時計方向に回動し、プッシュ部材３８５が左方にスライドして、その他端３８５ａが前記爪部材３８１のピン３８１ｄを押圧し、これにより爪部材３８１が軸３８１ａ回りに時計方向に回動してその爪部３８１ｂによるピン４１１ａに対する抱え込み（係合による規制）が解除されることとなる。
【０１７６】
すなわち、取手３８３の上記回動操作によって、取出規制手段としてスライド規制手段３８０による規制が解除されるとともに指掛け部３８３ｂに指を掛け得る状態となるので、指掛け部３８３ｂに指を掛け得る状態となっているときには、必ず、取出規制手段３８０による規制が解除されていることとなる。
【０１７７】
（１０）図３４に示した状態から、取手３８３の指掛部３８３ｂに指を掛け、図３５に示すように、スライドフレーム４１０をガイドレール４０１の後端まで引き出す。
【０１７８】
この状態は、先に図１７および図１８に示した状態と同じであり、この状態で、使用済の中間転写ユニットＴＵをスライドフレーム４１０から取り出し、新しい中間転写ユニットＴＵをスライドフレーム４１０に装着することができる。
【０１７９】
以降の操作は、前述した（１）以降の操作と同様である。
【０１８０】
なお、スライドフレーム４１０を押し込む際には、取手３８３を図３５において反時計方向（矢印ｂ２方向）に回動させ、そのままスライドフレーム４１０を押し込む。
【０１８１】
以上で説明したような中間転写ユニットＴＵの着脱操作は、通常、ユーザにより画像形成装置３００の電源が切られた状態で行なわれるが、この実施の形態では、ユーザーが仮に画像形成装置３００の電源を切っていなくても、前カバー３０６が開かれ、または第２フレーム３００Ｆ２が第１フレーム３００Ｆ１から離間すると自動的に電源がＯＦＦするようになっている。したがって、スライドフレーム４１０を装置３００本体から引き出す際には、装置の電源（主電源とは限らない）が必ずＯＦＦとなっており、テンション解除手段２４０による中間転写ベルト１６０のテンションも解除された状態となっている。すなわち、中間転写ユニットＴＵが装置３００本体から引き出される際には、中間転写ベルト１６０の張力が解除された状態となっていることとなる。
【０１８２】
また、ユーザー等による中間転写ベルト１６０すなわち第１ユニットＵ１の交換がなされた後の中間転写ユニットＴＵがスライドフレーム４１０に装着される際には、第１ユニットＵ１の交換時になされる第２ユニットＵ２の第１ユニットＵ１に対する抜き差しが、テンション解除手段２４０が作動状態（カム２４４の小径部２４４ｂがカムフォロア２４３と当接している状態（図１１参照））で行なわれることから、中間転写ベルト１６０の張力が解除された状態でなされることとなる。したがって、スライドフレーム４１０が装置３００本体に押し込まれて中間転写ユニットＴＵが装置３００本体に装着（ロック）される際にも、中間転写ベルト１６０の張力が解除された状態となっていることとなる。
【０１８３】
以上のような画像形成装置によれば、次のような作用効果が得られる。
【０１８４】
（ａ）装置３００本体の感光体３２１に当接可能な中間転写ベルト１６０と、この中間転写ベルト１６０を循環駆動可能に張架する複数のローラ１１０〜１５０とが、装置３００本体に対して着脱可能な中間転写ユニットＴＵとしてユニット化されているので、中間転写ベルト１６０の交換はユニットごと行なうことが可能である。したがって、交換作業が容易になる。
【０１８５】
（ｂ）装置３００本体に対して出し入れ可能なユニットＴＵが装置本体に対して入れられると、その取り出しが取出規制手段３８０によって規制される。
【０１８６】
上記ユニットＴＵを取り出す際に利用される取手３８３は、ユニットＴＵを取り出す際に掛けられる指掛け部３８３ｂを有しかつ回動可能であって、ユニットＴＵを取り出す際の回動操作によって（図３４参照）、取出規制手段３８０による規制が解除されるとともに指掛け部３８３ｂに指を掛け得る状態となるので、この指掛け部３８３ｂに指を掛け得る状態となっているときには、必ず、取出規制手段３８０による規制が解除されていることとなる。別言すれば、ユニットＴＵを取り出す際には、取手３８３の指掛け部３８３ｂに指を掛けねばならず、指掛け部３８３ｂに指を掛け得るようにするためには、取手３８３の上記回動操作を行なわねばならず、取手３８３を回動操作すれば取出規制手段３８０による規制が解除されるので、指掛け部３８３ｂに指を掛け得る状態となっているときには、必ず、取出規制手段３８０による規制が解除されていることとなる。
【０１８７】
したがって、この実施の形態の画像形成装置によれば、取出規制手段３８０による規制が解除されていない状態で、ユニットが取り出されそうになるという事態、すなわちユーザの誤操作が生じないこととなる。
【０１８８】
したがってまた、ユニットＴＵおよび装置３００本体に対して予期しない力が作用するという事態が確実に防止されるため、ユニットＴＵおよび／または装置３００本体の破損、あるいは両者の間の位置精度の低下が防止され、結果として、画像劣化も防止されることとなる。
【０１８９】
さらにこの実施の形態では、取出規制手段３８０はスライドフレーム４１０の引き出しを規制する構成となっているので、一層確実にユニットＴＵの破損、あるいはその精度の低下が防止される。
【０１９０】
（ｃ）装置３００本体は、当該本体に対して出し入れ可能に設けられたスライドフレーム４１０有しており、ユニットＴＵはスライドフレーム４１０に装着された状態で装置３００本体に対して出し入れされるとともに、取出規制手段３８０はスライドフレーム４１０の引き出しを規制し、取手３８３はスライドフレーム４１０に設けられているので、取手３８３をユニットＴＵに設けた場合に比べてユニットＴＵの軽量化および省資源化を図ることが可能となる。
【０１９１】
すなわち、取出規制手段３８０によってユニットＴＵが直接規制される構成とし、取手３８３をユニットに設けた場合には、その分、ユニットＴＵが重量化するとともに、取手ＴＵがユニットとともに消費されることとなる場合があるが、この画像形成装置３００によれば、取出規制手段３８０によってスライドフレーム４１０の引き出しが規制される構成であり、取手３８３はスライドフレーム４１０に設けられているので、ユニットＴＵの軽量化および省資源化を図ることが可能となる。
【０１９２】
（ｄ）スライドフレーム４１０は装置本体に対して略水平方向に出し入れされ、ユニットＴＵはスライドフレーム４１０に対して上方から装着される構成となっているので（図１７参照）、ユニットＴＵを直接装置本体に対して水平方向に挿入する場合に比べて、挿入操作が容易になる。
【０１９３】
しかも、ユニットＴＵはスライドフレーム４１０に対して装着された状態で、スライドフレーム４１０ごと装置本体に入れられるので、ユニットを直接装置本体に対して入れる場合には生じるであろう装置本体との不測の接触等による傷付き（例えば中間転写ベルト１６０の傷付き）も防止されることとなる。
【０１９４】
（ｅ）装置３００本体にはスライドフレーム４１０をそのスライド方向両側で案内する一対のガイドレール４０１が設けられているとともに、スライドフレーム４１０には、ガイドレール４０１で案内されるピン４１１ａが設けられており、このピン４１１ａのスライド方向への移動が取出規制手段３８０によって規制される構成となっているので、スライドフレーム４１０のスライド動作およびその規制を、簡単な構成で実現することができる。
【０１９５】
（ｆ）装置３００本体は、ユニットＴＵが出し入れされる第１フレーム３００Ｆ１と、この第１フレーム３００Ｆ１に対して接合および離間可能に構成され、離間した際に第１フレーム３００Ｆ１との間にユニットＴＵの出し入れ操作に必要な空間Ａを形成する第２フレーム３００Ｆ２とを備えており、この第２フレーム３００Ｆ２は、第１フレーム３００Ｆ１に対して略水平方向にスライドすることにより第１フレーム３００Ｆ１に対して接合および離間可能に構成されているので、例えば、第２フレーム３００Ｆ２を回動させて第１フレーム３００Ｆ１に対して接合および離間可能に構成した場合に比べて、第２フレーム３００Ｆ１の少ない移動動作で、ユニットＴＵの出し入れ操作に必要な空間Ａを有効に形成することが可能となる。
【０１９６】
（ｇ）装置３００本体に装着された中間転写ユニットＴＵは、ロック手段３６０によってロックされるので、装置本体に対して確実に装着され（ロックされ）ることとなる。
【０１９７】
そして、ロック手段３６０は、中間転写ユニットＴＵを装置３００本体に対してロックする際に、中間転写ユニットＴＵを、その中間転写ベルト１６０が前記感光体３２１との当接部Ｔ１（図２２参照）における略法線方向（矢印Ｎ１方向）に移動して感光体３２１に当接する方向（矢印Ｎ１方向）に移動させて、中間転写ベルト１６０と感光体３２１とが当接しまたは当接し得る位置にロックする構成となっているので、中間転写ユニットＴＵが装置本体に対してロックされる際には、中間転写ベルト１６０が感光体３２１との当接部Ｔ１における略法線方向（矢印Ｎ１方向）に移動して感光体３２１に当接することとなる。
【０１９８】
したがって、中間転写ユニットＴＵが装置本体に対してロックされる際に、中間転写ベルト１６０の表面と感光体３２１の表面とが擦れ合うということがほとんどなくなり、結果として、感光体３２１表面および／または中間転写ベルト１６０表面が傷ついてしまうということがほとんどなくなる。
【０１９９】
仮に、ロック手段が、中間転写ユニットＴＵを装置本体に対してロックする際に、中間転写ベルト１６０が感光体３２１との当接部における接線方向（図２２における矢印Ｘ１方向）、あるいは感光体３２１の軸線方向（図２２の紙面と直交する方向）に移動して感光体３２１に当接する構成のものであったとすると、中間転写ベルト１６０の表面と感光体３２１の表面とが擦れ合い、しかもその擦れ量（ないし擦れ長さ）は比較的大きなものとなる。特に、この実施の形態のもののように中間転写ベルト１６０がローラ間でベルト自身の張力により感光体３２１に圧接される構成のものにおいては、上記擦れ量（ないし擦れ長さ）はかなり大きなものとなるおそれがある。したがって、上記のような擦れ合いによって感光体表面および／または中間転写ベルト表面が傷ついてしまうおそれがあり、感光体表面および／または中間転写ベルト表面が傷ついた場合には、画像欠陥の一因となる。
【０２００】
これに対し、この実施の形態の画像形成装置によれば、そのロック手段３６０により、中間転写ユニットＴＵが装置３００本体に対してロックされる際に、中間転写ベルト１６０の表面と感光体３２１の表面とが擦れ合うということがほとんどなくなるので、感光体３２１表面および／または中間転写ベルト１６０表面が傷ついてしまうということがほとんどなくなり、したがって、それに起因する画像欠陥もほとんど生じなくなる。
【０２０１】
さらに、この実施の形態の画像形成装置３００のロック解除手段３７０は、上記ロック手段３６０によるロックを解除する際、中間転写ユニットＴＵを、その中間転写ベルト１６０が感光体３２１との当接部Ｔ１（図２２参照）における略法線方向（矢印Ｎ２方向）に移動して感光体３２１から離間する位置に移動させる構成となっているので、中間転写ユニットＴＵの装置３００本体に対するロックが解除される際には、中間転写ベルト１６０が感光体３２１との当接部Ｔ１における略法線方向（矢印Ｎ２方向）に移動して感光体３２１から離間することとなる。
【０２０２】
したがって、中間転写ユニットＴＵの装置本体に対するロックが解除される際に、中間転写ベルト１６０の表面と感光体３２１の表面とが擦れ合うということがほとんどなくなり、結果として、感光体３２１表面および／または中間転写ベルト１６０表面が傷ついてしまうということがほとんどなくなる。
【０２０３】
仮に、ロック解除手段が、中間転写ユニットＴＵの装置本体に対するロックを解除する際に、中間転写ベルト１６０が感光体３２１との当接部における接線方向（例えば図２２における矢印Ｘ１，Ｘ２方向）、あるいは感光体３２１の軸線方向（図２２の紙面と直交する方向）に移動して感光体３２１から離間する構成のものであったとすると、中間転写ベルト１６０の表面と感光体３２１の表面とが擦れ合い、しかもその擦れ量（ないし擦れ長さ）は比較的大きなものとなるので、この擦れ合いによって感光体表面および／または中間転写ベルト表面が傷ついてしまうおそれがあり、感光体表面および／または中間転写ベルト表面（中間転写ユニットが新たなものと交換される場合には感光体表面）が傷ついた場合には、画像欠陥の一因となる。
【０２０４】
これに対し、この実施の形態の画像形成装置によれば、そのロック解除手段３７０により、中間転写ユニットＴＵの装置本体に対するロックが解除される際に、中間転写ベルト１６０の表面と感光体３２１の表面とが擦れ合うということがほとんどなくなるので、感光体３２１表面および／または中間転写ベルト１６０表面が傷ついてしまうということがほとんどなくなり、したがって、それに起因する画像欠陥もほとんど生じなくなる。
【０２０５】
以上のように、この画像形成装置３００によれば、感光体３２１および中間転写ベルト１６０の表面をほとんど傷つけることなく、中間転写ユニットＴＵのロックおよびロック解除を行なうことができる。
【０２０６】
（ｈ）中間転写ユニットＴＵは、装置本体側のスライドフレーム４１０に設けられた軸（ピン）４１１ａの回りに回動することにより、その中間転写ベルト１６０が感光体３２１との当接部Ｔ１における略法線方向に移動する方向に移動する構成となっているので、中間転写ユニットＴＵの前記方向（中間転写ベルトが感光体との当接部における略法線方向に移動する方向）への移動を、簡単な構成で実現することができる。
【０２０７】
しかも、前記軸４１１ａは、中間転写ユニットＴＵの回動中心となることから、中間転写ユニットＴＵの装置３００本体に対する位置決め部材としての役割も果たすこととなる。したがって中間転写ユニットＴＵの位置精度の高いロック状態および精度の高い前記移動動作が得られることとなる。
【０２０８】
このような作用効果は、中間転写ユニットＴＵが、中間転写ユニットＴＵに設けられた軸（図示せず）の回りに回動することにより、その中間転写ベルト１６０が感光体３２１との当接部Ｔ１における略法線方向に移動する方向に移動する構成とした場合にも得られる。
【０２０９】
（ｉ）前記軸４１１ａは、ロック解除手段３７０によるロックが解除されたときに、中間転写ユニットＴＵがその自重で当該軸４１１ａ回りに回動する位置に設けられているので、簡単な構造で中間転写ベルト１６０を感光体３２１から離間させることが可能となる。
【０２１０】
（ｊ）中間転写ユニットＴＵは、装置３００本体に対して、前記ローラ１１０〜１５０の軸線方向と直交する略水平方向（図２１における矢印Ｘ１方向）に挿入された後、ロック手段３６０によってロックされる構成となっているので、中間転写ベルト１６０表面および／または装置本体の感光体３２１表面に傷が付いてしまうということが一層確実に防止される（少なくとも一層著しく軽減される）。
【０２１１】
中間転写ユニットＴＵの装置本体に対する着脱構造としては、中間転写ユニットをそのローラの軸線方向（例えば図２２の紙面と直交する方向）に沿って着脱する（抜き差しする）構造を採用することも可能である。
【０２１２】
しかしながら、そのような構造とすると、着脱時に中間転写ベルト１６０と装置本体の感光体３２１等とが接触し得る長さは中間転写ベルト１６０のベルト幅となり、大きなものとなる。したがって、それだけ中間転写ベルト１６０表面あるいは装置本体の感光体３２１表面等に傷が付き易くなるおそれがある。
【０２１３】
これに対し、この実施の形態の画像形成装置によれば、中間転写ユニットＴＵは、装置本体に対して、前記ローラの軸線方向と直交する略水平方向（図２１における矢印Ｘ１方向）に挿入された後、ロック手段３６０によってロックされる構成となっているので、挿入時（あるいは抜き取り時）に中間転写ベルト１６０と装置本体の感光体３２１等とが接触し得る長さが小さくなる。したがって、それだけ、中間転写ベルト１６０表面および／または装置本体の感光体３２１表面等に傷が付くという事態が一層確実に防止されることとなる（少なくとも一層著しく軽減されることとなる）。
【０２１４】
（ｋ）装置３００本体にはスライドフレーム４１０をそのスライド方向両側で案内する一対のガイドレール４０１，４０１が設けられているとともに、スライドフレーム４１０には、ガイドレール４０１，４０１で案内されるピン４１１ａが設けられており、中間転写ユニットＴＵは、スライドフレーム４１０に装着された状態でスライドフレーム４１０とともに前記ピン４１１ａの回りに回動することにより、その中間転写ベルト１６０が感光体３２１との当接部Ｔ１における略法線方向（図２２における矢印Ｎ１方向）に移動する方向に移動する構成となっているので、スライドフレーム４１０および中間転写ユニットＴＵのスライド動作および前記方向（中間転写ベルトが前記感光体との当接部における略法線方向に移動する方向）への移動を、簡単な構成で実現することができる。
【０２１５】
しかも、前記ピン４１１ａは、スライドフレーム４１０および中間転写ユニットＴＵの回動中心となることから、スライドフレーム４１０および中間転写ユニットＴＵの装置本体に対する位置決め部材としての役割も果たすこととなる。したがって中間転写ユニットＴＵの位置精度の高いロック状態および精度の高い前記移動動作が得られることとなる。
【０２１６】
（ｌ）前記ピン４１１ａは、ロック解除手段３６０によるロックが解除されたときに、中間転写ユニットＴＵおよびスライドフレーム４１０が両者の自重により当該ピン４１１ａの回りに回動する位置に設けられているので、簡単な構造で中間転写ベルト１６０を感光体３２１から離間させることが可能となる。
【０２１７】
（ｍ）装置本体は、中間転写ユニットＴＵが挿入される第１フレームＦ１と、この第１フレームＦ１に対して接合および離間可能に構成され、離間した際に第１フレームＦ１との間に中間転写ユニットＴＵの挿入操作に必要な空間Ａ（図１７参照）を形成する第２フレームＦ２とを備えており、この第２フレームＦ２を第１フレームＦ１に接合させたときに、ロック手段３６０によるロックがなされる構成となっているので（図２２参照）、ロック手段３６０による中間転写ユニットＴＵのロック操作と、第２フレームＦ２の第１フレームＦ１に対する接合操作とを別々に行なう必要がなくなる。したがって、中間転写ユニットＴＵの交換作業が簡便なものとなる。
【０２１８】
しかも、第２フレームＦ２を第１フレームＦ１に接合させたときに、ロック手段３６０によるロックがなされるので、中間転写ユニットＴＵのロックを忘れてしまうというおそれもなくなる。
【０２１９】
（ｎ）中間転写ユニットＴＵは、その中間転写ベルト１６０が循環駆動されないときにその張力を解除するテンション解除手段２４０を有しているので、ベルト１６０のクリープ変形による画像濃度むらの発生を防止することができる。
【０２２０】
すなわち、中間転写ベルト１６０は、複数本のローラ１１０〜１５０間に張架されて循環駆動されるようになっているので、仮にテンション解除手段を有していないとすると、例えば画像形成装置の電源等が切られる等してベルト１６０が循環駆動されない状態が長時間におよぶ場合に、ベルト１６０がローラ間に張架された状態のままとなり、ベルト１６０の一部、特にローラへの巻掛け部に応力が作用し続けることによって、その部分にクリープ変形が生じ、その後装置が作動したときに、ベルト１６０の変形部分に対応する部位において画像に濃度むらが生じることがある。
【０２２１】
これに対し、この実施の形態によれば、中間転写ユニットＴＵが、その中間転写ベルト１６０が循環駆動されないときにその張力を解除するテンション解除手段２４０を有しているので、ベルト１６０の上記クリープ変形が防止され、したがって、クリープ変形による画像濃度むらの発生が防止されることとなる。
【０２２２】
そして、このテンション解除手段２４０により中間転写ベルト１６０の張力が解除された状態で、前記ロック手段３６０による中間転写ユニットＴＵのロック、またはロック解除手段３７０によるロック解除がなされる構成となっているので、ロックまたはロック解除の際に中間転写ベルト１６０の表面と装置本体の感光体３２１の表面とが仮に擦れ合ったとしても、その擦れ合いは、極めて軽い擦れ合いとなる。
【０２２３】
したがって、中間転写ベルト１６０表面あるいは装置本体の感光体３２１表面に傷が付いてしまうということがより一層確実に防止される（少なくとも著しく軽減される）こととなる。
【０２２４】
（ｏ）中間転写ユニットＴＵがロック手段３６０でロックされ、中間転写ベルト１６０の張力がテンション解除手段２４０により解除されていない状態のとき、中間転写ベルト１６０がローラ１１０，１５０間でベルト１６０自身の張力により装置本体の感光体３２１に圧接される構成となっているので、さらに次のような作用効果が得られる。
【０２２５】
中間転写ベルト１６０を感光体３２１に圧接させる構成としては、ベルト１６０の裏面側に配置したローラ（一次転写ローラ）で圧接させる構成を用いることも可能である。
【０２２６】
しかしながら、そのような構成を用いたとすると、一次転写ローラを中間転写ユニットＴＵに組み込んでおくことが必要となるため、その分、中間転写ユニットＴＵの構造が複雑になるとともに、重量も増大してしまう。
【０２２７】
これに対し、この実施の形態の画像形成装置によれば、中間転写ユニットＴＵがロック手段３６０でロックされ、中間転写ベルト１６０の張力がテンション解除手段２４０により解除されていない状態すなわちベルト１６０が張架状態のとき、中間転写ベルト１６０がローラ１１０，１５０間でベルト１６０自身の張力により装置本体の感光体３２１に圧接される構成となっているので、一次転写ローラが不要となる。
【０２２８】
したがって、中間転写ユニットＴＵの構造の簡略化が可能であると同時に軽量化も可能となり、結果として、中間転写ユニットＴＵのロック操作および着脱操作を一層容易にすることが可能となる。
【０２２９】
（ｐ）装置本体には中間転写ユニットＴＵが装着されたことの有無を検出する信号系の回路の一部をなす第１コネクタＣ１（図２０参照）が設けられているとともに、スライドフレーム４１０には、前記回路の一部をなす第２コネクタＣ２が設けられており、前記ロック手段３６０によるロックがなされた際に、前記両コネクタＣ１，Ｃ２が連結される構成となっているので（図２５参照）、中間転写ユニットＴＵの有無検出が確実になされることとなる。
【０２３０】
しかも、この実施の形態では、装置本体におけるスライドフレーム４１０以外の部位（第１フレーム３００Ｆ１の側板３６４’）に、第１コネクタＣ１が設けられているとともに、スライドフレーム４１０に、第２コネクタＣ２が設けられており、ロック手段によるロックがなされた際に、両コネクタＣ１，Ｃ２が連結される構成となっているので、中間転写ユニットＴＵの構成が簡素化されるとともに、交換ユニットである中間転写ユニットＴＵとともに第２コネクタＣ２もが消費されてしまうということがなくなり、省資源化を図る上でも有効となる。
【０２３１】
すなわち、第２コネクタＣ２は中間転写ユニットＴＵに設けることも可能であるが、その場合には中間転写ユニットＴＵの構成が複雑になるとともに、交換ユニットである中間転写ユニットＴＵとともに第２コネクタＣ２も消費されることとなる。
【０２３２】
これに対し、この実施の形態の画像形成装置によれば、第２コネクタＣ２が装置本体側のスライドフレーム４１０に設けられているので、中間転写ユニットＴＵの構成が簡素化されるとともに、交換ユニットである中間転写ユニットＴＵとともに第２コネクタＣ２もが消費されてしまうということがなくなり、省資源化を図る上でも有効となる。
【０２３３】
（ｑ）中間転写ユニットＴＵのフレーム１００および中間転写ユニットＴＵが着脱可能に装着される受けフレーム４００は底板を有していないので、テンション解除手段２４０によるテンション解除時に弛んだベルト１６０が底板に当たるということがなくなる。
【０２３４】
したがって、ベルト１６０にゴミやトナー等が付着するということがなくなり、それに起因する画像不良が生じなくなる。
【０２３５】
したがってまた、この画像形成装置によれば、小型化を図ることが可能となる。
【０２３６】
すなわち、この画像形成装置によれば、テンション解除手段を有しているにもかかわらず、テンション解除時に弛んだベルト１６０にゴミ等が付着せず、大型化もしないという効果が得られる。
【０２３７】
（ｒ）中間転写ユニットＴＵは、第１ユニットＵ１と第２ユニットＵ２とからなり、第１ユニットＵ１に対して第２ユニットＵ２が着脱可能に構成されているので、消耗品として交換する装置単位を小さくかつ軽量化することができる。
【０２３８】
したがって、ユーザは交換作業を容易に行なうことができるとともに、費用面でのメリットも得られることとなる。また、省資源化の面でのメリットも得られる。さらに、メーカーにおいては、組立単位が分割されることとなるので組立性が格段に向上する。
【０２３９】
この実施の形態では、第２ユニットＵ２が再利用可能であり、中間転写ベルト１６０が消耗した際には、第１ユニットＵ１のみを交換すれば良い。
【０２４０】
（ｓ）第１ユニットＵ１に対する第２ユニットＵ２の着脱は、第１ユニットＵ１に対する第２ユニットＵ２の挿入あるいは引き出しのみで行なうことができるので、着脱操作が容易である。
【０２４１】
以上、本発明の一実施の形態について説明したが、本発明は上記の実施の形態に限定されるものではなく、本発明の要旨の範囲内において適宜変形実施可能である。
【０２４２】
例えば、各部材の形状は、この実施の形態の所定の作動がなされる限り任意の形状を採用し得る（例えばスライドフレーム４１０の側板４１１の形状は図によって多少異なっているが、いずれの形状も採用し得る）。
【０２４３】
【発明の効果】
請求項１〜３記載のいずれの画像形成装置によっても、取出規制手段による規制が解除されていない状態で、ユニットが取り出されそうになるという事態、すなわちユーザの誤操作が生じないこととなる。
【０２４４】
したがってまた、ユニットおよび／または装置本体の破損、あるいは両者の間の位置精度の低下が防止され、結果として、画像劣化も防止されることとなる。
【０２４５】
さらに、
請求項１記載の画像形成装置によれば、ユニットの軽量化および省資源化を図ることが可能となる。
【０２４６】
請求項２記載の画像形成装置によれば、ユニットを直接装置本体に対して水平方向に挿入する場合に比べて挿入操作が容易になるとともに、装置本体との不測の接触等によるユニットの傷付きも防止されることとなる。
【０２４７】
請求項１記載の画像形成装置によれば、スライドフレームのスライド動作およびその規制を、簡単な構成で実現することができる。
【０２４８】
請求項３記載の画像形成装置によれば、第２フレームの少ない移動動作で、ユニットの出し入れ操作に必要な空間を有効に形成することが可能となる。
【０２４９】
【図面の簡単な説明】
【図１】本発明に係る画像形成装置の一実施の形態を示す概略図。
【図２】中間転写ユニットの一例および、このユニットＴＵを着脱可能に装着するために画像形成装置に設けられた受けフレーム４００およびそのスライドフレーム４１０を示す斜視図。
【図３】主として中間転写ユニットＴＵを示す一部省略正面図。
【図４】テンションが解除された状態の中間転写ユニットＴＵを示す一部省略背面図。
【図５】中間転写ユニットＴＵの第２ユニットＵ２を第１ユニットＵ１から取り外した状態を示す部分省略斜視図。
【図６】中間転写ユニットＴＵの第２ユニットＵ２を第１ユニットＵ１に挿入する状態を示す部分省略斜視図。
【図７】主としてクリーニング手段１７０を示す部分省略右側面断面図。
【図８】図７の部分拡大図。
【図９】図７の部分拡大図に相当する図で、クリーニング手段１７０のシャッタ１７９の作動説明図。
【図１０】第２ユニットＵ２を示す一部省略右側面図。
【図１１】テンションが解除された状態の中間転写ユニットＴＵを主として示す一部省略正面図。
【図１２】中間転写ベルト１６０およびローラ１１０〜１５０の概略的な展開図。
【図１３】中間転写ユニットＴＵの第１ユニットＵ１に対する第２ユニットＵ２の装着構造の一例を示す部分省略正面図。
【図１４】中間転写ユニットＴＵとスライドフレーム４１０とを示す部分省略正面図。
【図１５】中間転写ユニットＴＵがスライドフレーム４１０へ装着された状態を示す部分省略斜視図。
【図１６】中間転写ユニットＴＵがスライドフレーム４１０へ装着された状態を示す部分省略正面図。
【図１７】画像形成装置のフレーム構造および、中間転写ユニットＴＵの着脱操作を説明する概略正面図。
【図１８】中間転写ユニットＴＵがスライドフレーム４１０へ装着された状態を示す部分省略斜視図。
【図１９】中間転写ユニットＴＵがスライドフレーム４１０へ装着された状態を示す部分省略正面図。
【図２０】スライドフレーム４１０を押し込んだ状態を示す部分省略正面図。
【図２１】ロック手段３６０の作動説明概略正面図。
【図２２】スライドフレーム４１０および中間転写ユニットＴＵが位置決めされかつロックされた状態を示す部分省略概略正面図。
【図２３】主としてロック手段およびロック解除手段を示す部分省略概略正面図。
【図２４】主としてロック手段の一部を示す部分省略右側面図。
【図２５】ロック手段３６０の作動説明概略正面図。
【図２６】ロック手段３６０の作動説明概略正面図。
【図２７】クリーニング手段１７０および廃トナーボトル５００を示す斜視図。
【図２８】前カバー３０６、廃トナーボトル５００、およびクリーニング手段１７０の一部を示す部分切断右側面図。
【図２９】前カバー３０６、廃トナーボトル５００、およびクリーニング手段１７０の一部を示す部分切断右側面図で、作動説明図。
【図３０】操作を説明する概略正面図。
【図３１】操作を説明する概略正面図。
【図３２】操作を説明する概略正面図。
【図３３】操作を説明する概略正面図。
【図３４】操作を説明する概略正面図。
【図３５】操作を説明する概略正面図。
【図３６】従来技術の説明図。
【図３７】（ａ）〜（ｄ）は従来技術の説明図。
【符号の説明】
ＴＵ    中間転写ユニット（ユニット）
３００    画像形成装置
３００Ｆ１    第１フレーム
３００Ｆ２    第２フレーム
Ａ        空間
３８０    スライド規制手段（取出規制手段）
３８３    取手
３８３ｂ  指掛け部
４０１    ガイドレール
４１０    スライドフレーム
４１１ａ  ピン（軸）
【図１】
0003674369.tif 000002
【図２】
0003674369.tif 000003
【図３】
0003674369.tif 000004
【図４】
0003674369.tif 000005
【図５】
0003674369.tif 000006
【図６】
0003674369.tif 000007
【図７】
0003674369.tif 000008
【図８】
0003674369.tif 000009
【図９】
0003674369.tif 000010
【図１０】
0003674369.tif 000011
【図１１】
0003674369.tif 000012
【図１２】
0003674369.tif 000013
【図１３】
0003674369.tif 000014
【図１４】
0003674369.tif 000015
【図１５】
0003674369.tif 000016
【図１６】
0003674369.tif 000017
【図１７】
0003674369.tif 000018
【図１８】
0003674369.tif 000019
【図１９】
0003674369.tif 000020
【図２０】
0003674369.tif 000021
【図２１】
0003674369.tif 000022
【図２２】
0003674369.tif 000023
【図２３】
0003674369.tif 000024
【図２４】
0003674369.tif 000025
【図２５】
0003674369.tif 000026
【図２６】
0003674369.tif 000027
【図２７】
0003674369.tif 000028
【図２８】
0003674369.tif 000029
【図２９】
0003674369.tif 000030
【図３０】
0003674369.tif 000031
【図３１】
0003674369.tif 000032
【図３２】
0003674369.tif 000033
【図３３】
0003674369.tif 000034
【図３４】
0003674369.tif 000035
【図３５】
0003674369.tif 000036
【図３６】
0003674369.tif 000037
【図３７】
0003674369.tif 000038